(57)【要約】【課題】基板ボックスに対する不正行為を好適に抑制することが可能な遊技機を提供すること。【解決手段】主制御装置９２の基板ボックス１０２は、表側構成体１１１と裏側構成体１１２とを備えている。表側構成体１１１と裏側構成体１１２とが組み合わされることによって筒部１１０が形成される。筒部１１０が主側取付台９２の差込軸部１０９に差し込まれる。筒部１１０が差込軸部１０９に差し込まれた状態にて、破断ネジ１８０が筒部１１０及び差込軸部１０９に差し込まれ、差込軸部１０９と筒部１１０とが固定される。筒部１１０は、表側構成体１１１の表側筒形成部と、裏側構成体１１２の裏側筒形成部とが組み合わされることによって形成されている。【選択図】      図７
2010279566.tif 000002
【特許請求の範囲】
【請求項１】
遊技に関する制御を行う制御基板と、
内部空間が形成されており、その内部空間に前記制御基板が収容されている基板ボックスと、
前記基板ボックスが取り付けられる取付部と、
前記基板ボックスに設けられた第１係合部と、
前記取付部に設けられ、前記第１係合部と係合される第２係合部と、
を備え、
前記基板ボックスは、第１ボックス構成体と第２ボックス構成体とを有し、
前記第１係合部は、各係合部が係合されている状況において前記第１ボックス構成体と前記第２ボックス構成体との組み合わせ状態が解除されることがないように、前記第１ボックス構成体と前記第２ボックス構成体とが組み合わされることによって形成されていることを特徴とする遊技機。
【請求項２】
前記第１ボックス構成体と前記第２ボックス構成体とは、相対的にスライド移動させることが可能となっており、
各係合部は、そのスライド移動を規制するように係合されていることを特徴とする請求項１に記載の遊技機。
【請求項３】
前記第２係合部は、前記第１係合部における前記第１ボックス構成体と前記第２ボックス構成体との境界部を跨ぐようにして設けられていることを特徴とする請求項２に記載の遊技機。
【請求項４】
前記第１係合部における前記第１ボックス構成体と前記第２ボックス構成体との境界部が、前記第２係合部によりスライド移動させる方向に対して隠されていることを特徴とする請求項３に記載の遊技機。
【発明の詳細な説明】
【技術分野】
【０００１】
本発明は、遊技機に関するものである。
【背景技術】
【０００２】
遊技機としては、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０００３】
この種の遊技機においては、不正な利益を得ることを目的として、例えば、制御基板を不正に取り外して当該基板内のＲＯＭ（ＣＰＵやＲＯＭが１チップ化されている場合は当該チップ）を交換して遊技内容を変更したり、リード線等により外部から不正な電気信号を制御基板に入力させたりする等の不正行為が数多く報告されている。
【０００４】
このため、各種の不正対策が検討されている。不正対策の一例を示すと、基板ボックスを構成する複数のボックス構成体を透明に構成して制御基板の状態を外部から容易に視認できるようにする、基板ボックスに封印構造を持たせて基板ボックスの開封時には破壊等による開封履歴を残すようにする、又は、ボックス構成体の接合部に再貼付不可能な封印シールを貼付する等の不正対策が採用されている（例えば特許文献１参照）。
【先行技術文献】
【特許文献】
【０００５】
【特許文献１】特開２００３−１８０９１７号公報
【発明の概要】
【発明が解決しようとする課題】
【０００６】
しかしながら、上記のような不正対策が施されていても、未だに不正行為が行われているのが実状であり、前記封印構造や封印シール等を採用した制御基板装置であっても、不正の形跡が残らないようにして巧妙に基板ボックスを開封し、内部の制御基板に対して不正を施すといったことが行われている。したがって、基板ボックスに対する不正行為を抑制する上で未だ改善の余地がある。
【０００７】
本発明は、上記例示した事情等に鑑みてなされたものであり、基板ボックスに対する不正行為を好適に抑制することが可能な遊技機を提供することを目的とするものである。
【課題を解決するための手段】
【０００８】
請求項１記載の発明は、遊技に関する制御を行う制御基板と、内部空間が形成されており、その内部空間に前記制御基板が収容されている基板ボックスと、前記基板ボックスが取り付けられる取付部と、前記基板ボックスに設けられた第１係合部と、前記取付部に設けられ、前記第１係合部と係合される第２係合部と、を備え、前記基板ボックスは、第１ボックス構成体と第２ボックス構成体とを有し、前記第１係合部は、各係合部が係合されている状況において前記第１ボックス構成体と前記第２ボックス構成体との組み合わせ状態が解除されることがないように、前記第１ボックス構成体と前記第２ボックス構成体とが組み合わされることによって形成されていることを特徴とする。
【発明の効果】
【０００９】
本発明によれば、基板ボックスに対する不正行為を好適に抑制できる。
【図面の簡単な説明】
【００１０】
【図１】一実施の形態におけるパチンコ機の構成を示す前方から見た斜視図。
【図２】パチンコ機の主要な構成を展開して示す斜視図。
【図３】パチンコ機の主要な構成を展開して示す斜視図。
【図４】遊技盤の構成を示す正面図。
【図５】内枠の構成を示す背面図。
【図６】主制御装置の構成を示す斜視図。
【図７】主制御装置の構成を示す分解斜視図。
【図８】主制御装置の構成を示す分解斜視図。
【図９】（ａ）は表側構成体の正面図及び底面図、（ｂ）は裏側構成体の正面図及び底面図。
【図１０】表側構成体を裏側構成体に取り付ける場合の説明図。
【図１１】表側構成体と裏側構成体とが組み合わせされた状態における部分断面図。
【図１２】（ａ）は破断ネジの側面図、（ｂ）は破断ネジの斜視図、（ｃ）は表側結合部の平面図、（ｄ）は表側結合部及び裏側結合部の断面図であり、破断部が破断する前の状態を示す説明図、（ｅ）は図１２（ｄ）において破断部が破断した後の状態を示す説明図。
【図１３】（ａ）は表側構成体の裏面図、（ｂ）は表側構成体の底面図、（ｃ）は裏側構成体の正面図。
【図１４】（ａ）は基板ボックスを分解した状態の底面図、（ｂ）及び（ｃ）は筒部周辺の拡大図。
【図１５】差込軸部に筒部を差し込む場合の説明図。
【図１６】（ａ）は図１５におけるＡ−Ａ線部分断面図、（ｂ）は基板ボックスにおける筒部を底面から視認した場合の説明図。
【図１７】（ａ）は主側取付台の側面図、（ｂ）は裏側構成体の正面図。
【図１８】（ａ）は図１７（ａ）において筒部が差し込まれた場合を示す断面図、（ｂ）〜（ｄ）は基板ボックスが回転する場合を示す説明図。
【図１９】主制御装置が回動する場合の説明図。
【図２０】パチンコ機の電気的構成を示すブロック図。
【発明を実施するための形態】
【００１１】
以下、遊技機の一種であるパチンコ遊技機（以下、「パチンコ機」という）の一の実施の形態を、図面に基づいて詳細に説明する。図１はパチンコ機１０を前方から見た斜視図、図２及び図３はパチンコ機１０の主要な構成を展開して示す斜視図である。
【００１２】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００１３】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００１４】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１５】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００１６】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には裏パックユニット１５が回動可能（開閉可能）に支持されており、正面視で左側を回動基端側（開閉基端側）とし右側を回動先端側（開閉先端側）として後方へ回動可能とされている。
【００１７】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことによりそれぞれ解除される。
【００１８】
次に、遊技機本体１２の前面側の構成について説明する。
【００１９】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２０】
ここで、遊技盤３３の構成を図４に基づいて説明する。遊技盤３３には、ルータ加工が施されることによって前後方向に貫通する大小複数の開口部が形成されている。各開口部には一般入賞口３４、可変入賞装置３５、作動口３６、スルーゲート３７及び可変表示ユニット３８等がそれぞれ設けられている。一般入賞口３４、可変入賞装置３５及び作動口３６に遊技球が入ると、それが図示しない検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２１】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２２】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２３】
遊技結果表示部（又は抽選結果表示部）として設けられた第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２４】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２５】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。遊技球発射機構５０は、図２に示すように、樹脂ベース３１における窓孔３２の下方に取り付けられている。そして、内枠１３にパチンコ機１０前方から操作可能に設けられたハンドル装置５９が操作されることにより遊技球の発射動作が行われる。
【００２６】
内枠１３の前面側を覆うようにして前扉枠１４が設けられている。前扉枠１４には、図１等に示すように、遊技領域のほぼ全域を前方から視認することができるようにした窓部５５が形成されている。窓部５５は、略楕円形状をなし、窓パネル５６が嵌め込まれている。窓パネル５６は、ガラスによって無色透明に形成されているが、これに限定されることはなく合成樹脂によって無色透明に形成してもよい。窓部５５の周囲には、各種ランプ等の発光手段が設けられている。また、左上及び右上の位置には、遊技状態に応じた効果音などが出力されるスピーカ部が設けられている。
【００２７】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００２８】
次に、遊技機本体１２の背面側の構成について説明する。図５は、内枠１３の背面図である。
【００２９】
図５に示すように、内枠１３（遊技盤３３）の背面には、主制御装置ユニット６１及び音声ランプ制御装置ユニット６５が搭載されている。これらのうち主制御装置ユニット６１の具体的な構成については、後に詳細に説明する。
【００３０】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置ユニット６１に搭載された主制御装置９２からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３１】
裏パックユニット１５は、図３に示すように、裏パック７１を備えており、当該裏パック７１に対して、払出機構部７２及び制御装置集合ユニット７３が取り付けられている。なお、裏パック７１は透明性を有する合成樹脂により形成されており、主制御装置ユニット６１の一部や音声ランプ制御装置ユニット６５などを後方から覆うように、後方に突出し略直方体形状をなす保護カバー部７５を有している。
【００３２】
払出機構部７２は、保護カバー部７５を迂回するようにして配設されており、遊技場の島設備から供給される遊技球が逐次補給されるタンク７７と、当該タンク７７に貯留された遊技球を払い出すための払出装置７８と、を備えている。払出装置７８より払い出された遊技球は、当該払出装置７８の下流側に設けられた図示しない払出通路を通じて、上皿５７ａ又は下皿５８ａに排出される。また、払出機構部７２には、例えば交流２４ボルトの主電源が供給されるとともに、電源のＯＮ操作及びＯＦＦ操作を行うための電源スイッチが設けられた裏パック基板が搭載されている。
【００３３】
制御装置集合ユニット７３は、払出制御装置８２と電源・発射制御装置８３とを備えている。これら払出制御装置８２と電源・発射制御装置８３とは、払出制御装置８２がパチンコ機１０後方となるように前後に重ねて配置されている。
【００３４】
払出制御装置８２は、払出装置７８を制御する払出制御基板が基板ボックス内に収容されて構成されている。電源・発射制御装置８３は、電源・発射制御基板が基板ボックス内に収容されて構成されており、当該基板により、各種制御装置等で要する所定の電力が生成されて出力され、さらに遊技者によるハンドル装置５９の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００３５】
遊技盤３３の裏面において主制御装置ユニット６１の上方には、図５に示すように、音声ランプ制御装置ユニット６５が設置されている。主制御装置ユニット６１は、音声ランプ制御装置ユニット６５と前後方向に重なることなく設置されている。
【００３６】
主制御装置ユニット６１は、裏パックユニット１５が閉鎖位置に配置されている状態において、保護カバー部７５によって一部が覆われている。主制御装置ユニット６１は、裏パックユニット１５が開放位置に配置されている状態において、当該主制御装置ユニット６１の正面側が開放されている。なお、裏パックユニット１５が閉鎖位置に配置されている状態では、主制御装置ユニット６１の全体が保護カバー部７５により覆われる構成としてもよく、主制御装置９２の全体が保護カバー部７５により覆われない構成としてもよい。
【００３７】
主制御装置ユニット６１の構成を、図６、図７及び図８を参照しながら説明する。図６は主制御装置ユニット６１の斜視図、図７は主制御装置ユニット６１を一方からみた場合の分解斜視図、図８は主制御装置ユニット６１を他方からみた場合の分解斜視図である。
【００３８】
主制御装置ユニット６１は、主制御装置９２を備えている。主制御装置９２は、主制御基板１０１と基板ボックス１０２とを備えており、当該基板ボックス１０２内に主制御基板１０１が収容されて構成されている。
【００３９】
主制御基板１０１は、主たる制御を司るＣＰＵ、遊技プログラムを記憶したＲＯＭ、遊技の進行に応じた必要なデータを記憶するＲＡＭ等を備えている。本実施の形態では、ＣＰＵ、ＲＯＭ及びＲＡＭが１チップ化されている。なお、詳細な説明は省略するが、主制御基板１０１は、入出力ドライバ用ＩＣチップ及びラッチ用ＩＣチップを備えている。また、主制御基板１０１は、コンデンサや抵抗などの各種素子や複数のコネクタを備えている。
【００４０】
主制御基板１０１は、ＣＰＵチップなどの各種素子やコネクタを全て同一の板面上に備えている。ＣＰＵなどの各種素子やコネクタは、その逆側の板面にて半田付けされている。つまり、主制御基板１０１は、一方の板面が素子搭載面１０３となっており、他方の板面が半田面１０４となっている。なお、半田面１０４とは、素子搭載面１０３に搭載される各種素子の半田付け部分が設けられる面であるが、当該半田面１０４に対して回路パターンが形成されていてもよい。また、両板面が素子搭載面として構成されていてもよい。
【００４１】
主制御装置ユニット６１は、主側取付台１０５を備えている。主側取付台１０５は、合成樹脂製であり全体に無色透明となっている。主側取付台１０５は、図７に示すように、主制御装置９２が設置される搭載領域１０６が形成されたベース部１０７を備えている。
【００４２】
ベース部１０７には、左右方向の一端側に張り出すようにして設けられた上張出部１０７ａと、上張出部１０７ａの下方に位置する下張出部１０７ｂと、が設けられている。各張出部１０７ａ，１０７ｂにはそれぞれ下側に向けて突出した上側支軸１０７ｃ及び下側支軸１０７ｄがそれぞれ形成されている。各支軸１０７ｃ，１０７ｄは、それぞれ同一軸線上に位置するように設けられている。
【００４３】
内枠１３の背面には、各支軸１０７ｃ，１０７ｄが差し込まれる上軸受部３３ａと下軸受部３３ｂとが設けられている（図５参照）。主側取付台１０５を取り付ける場合、ベース部１０７における各支軸１０７ｃ，１０７ｄを各軸受部３３ａ，３３ｂに差し込む。この状態にて主側取付台１０５は、各支軸１０７ｃ，１０７ｄが各軸受部３３ａ，３３ｂに軸支された状態にて回動可能となっている。
【００４４】
なお、下側支軸１０７ｄには、係止爪が設けられている（図示略）。その係止爪が下軸受部３３ｂに引っ掛かることにより、下側支軸１０７ｄが下軸受部３３ｂから抜けることが抑制されている。具体的には、下軸受部３３ｂの下側支軸１０７ｄを収容する箇所には、上円孔部と、上円孔部よりも拡径された下円孔部と、が形成されている（図示略）。下円孔部は、上孔部に連続するようにして、上孔部の下方に設けられている。下側支軸１０７ｄの係止爪は、下側支軸１０７ｄが下軸受部３３ｂに差し込まれた場合に、差込方向と交差する方向に突出し、その突出した状態にて下円孔部に入り込む。このため、係止爪と、各孔部の径が異なることにより形成される段差部とが、下側支軸１０７ｄが抜ける方向に係止される。これにより、下側支軸１０７ｄの抜けが防止されている。この結果、内枠１３から主側取付台１０５が取り外されることを防止できる。主側取付台１０５が回動する場合、係止爪は、下孔部内にて移動する。これにより、係止爪により主側取付台１０５の回動が阻害されることがなくなる。
【００４５】
ベース部１０７には、内枠１３に主側取付台１０５を取り付けるための取付孔１０８が複数箇所に設けられている。取付孔１０８には、ベース部１０７の搭載領域１０６と反対側の面が内枠１３に沿うように主側取付台１０５を回動させた状態にて、ネジ部材等の着脱可能な固定具が通される。取付孔１０８に固定具が通されることにより、主側取付台１０５が、回動することがないように内枠１３に取り付けられている。この結果、主制御装置９２は、搭載領域１０６に取り付けられた状態にて内枠１３とは反対側を向いている。主側取付台１０５をパチンコ機１０に軸支させた後に、当該主側取付台１０５を固定することは、主制御装置ユニット６１の荷重が過度に上記固定具にかかることを抑制するための工夫である。
【００４６】
なお、主側取付台１０５を内枠１３から着脱可能としてもよい。この場合、各支軸１０５ｃ，１０７ｄが、各軸受部３３ａ，３３ｂから抜けるようにしておけばよい。
【００４７】
また、主側取付台１０５は、固定具を取り外すことにより、内枠１３に対して回動させることが可能となるが、主側取付台１０５を内枠１３に回動不可な状態にて取り付けるようにしてもよい。この場合、主側取付台１０５の固定具として、その固定状態の解除を不可とするものを用いればよい。
【００４８】
下張出部１０７ｂには、差込軸部１０９が設けられている。差込軸部１０９は、下張出部１０７ｂから上方に突出するようにして当該下張出部１０７ｂに一体形成されている。主制御装置９２には、筒部１１０が設けられている。筒部１１０は、その下方が開放されている。筒部１１０の下方から差込軸部１０９が差し込まれることにより、主側取付台１０５に対して主制御装置９２が回動可能な状態で支持される。
【００４９】
筒部１１０は、主制御装置９２の左右方向の一端側（左側）に張り出した位置にて、上下方向に延びている。筒部１１０を主制御装置９２から張り出して設けたことにより、筒部１１０を形成するために、基板ボックス１０２内における主制御基板１０１を収容するスペースが制限されることを抑制している。
【００５０】
差込軸部１０９は、下側支軸１０７ｄよりも内枠１３の背面から離間して設けられているとともに、下側支軸１０７ｄよりも左右方向にみて内枠１３の中央側にずれて設けられている。これは、筒部１１０が差込軸部１０９に差し込まれた場合に、主制御装置９２の荷重が過度に差込軸部１０９及び筒部１１０にかかることを抑制するための工夫である。つまり、主制御装置９２の荷重を、各支軸１０７ｃ，１０７ｄ及び各軸受部３３ａ，３３ｂと、差込軸部１０９及び筒部１１０と、に分散する効果が期待される。差込軸部１０９が、下側支軸１０７ｄよりも内枠１３の背面から離間している構成とした。これは、各支軸１０７ｃ，１０７ｄ及び各軸受部３３ａ，３３ｂによって主制御装置９２の回動が阻害されることを防止するための工夫である。
【００５１】
主側取付台１０５の各張出部１０７ａ，１０７ｂが設けられている端部の反対側には、主制御装置９２を取り付ける台側取付部１０５ａが設けられている。具体的には、主制御装置９２には、台側取付部１０５ａに取り付けられる装置側取付部９２ａが設けられている。本パチンコ機１０では、装置側取付部９２ａとしてナイラッチ（登録商標）が使用されており、主制御装置９２が台側取付部１０５ａに着脱可能に取り付けられている。各取付部９２ａ，１０５ａを設けたことにより、パチンコ機１０の輸送の際等に、意図せず主制御装置９２が回動し、主制御装置９２が破損することを防止している。
【００５２】
台側取付部１０５ａに装置側取付部９２ａが取り付けられた状態では、主側取付台１０５における取付孔１０８が主制御装置９２に覆われている。つまり、主側取付台１０５の内枠１３に対する固定箇所は、主制御装置９２によって後方から覆われている。これは、主側取付台１０５の取付箇所に不正にアクセスされることを抑制するための工夫である。なお、主側取付台１０５の裏面側には、パチンコ機１０に設置された状態にて取付孔１０８を形成している箇所を上下方向及び左右方向から隠す覆部が設けられている。これにより、主制御装置９２によって取付孔１０８が覆われている状態にて主側取付台１０５の裏面側から取付孔１０８に直接アクセスされることを防止できる。
【００５３】
次に、基板ボックス１０２の構成について説明する。基板ボックス１０２は、複数のケース体として、表側構成体（ボックスカバー）１１１と裏側構成体（ボックスベース）１１２とを備えている。これら表側構成体１１１及び裏側構成体１１２は、透明性を有する合成樹脂材料により形成されている。これにより、基板ボックス１０２内に収容された主制御基板１０１の素子搭載面１０３を基板ボックス１０２の外部から視認可能となっている。具体的には、各構成体１１１，１１２は、無色透明のポリカーボネート樹脂により形成されているが、これに限定されることはなく、アクリル樹脂等であってもよい。
【００５４】
基板ボックス１０２は、各構成体１１１，１１２が組み合わされることにより、四角箱状（略直方体形状）に形成され、所定の内部空間を有している。詳細には、表側構成体１１１は、図７に示すように、当該表側構成体１１１の周縁を規定するように延びる表側周縁部１１３と、当該表側周縁部１１３から表側周縁部１１３を塞ぐようにして形成された表側壁部１１４とが一体形成されている。これら表側周縁部１１３と表側壁部１１４とにより、表側構成体１１１は表側周縁部１１３の延出側とは反対側に開放された略直方体形状をなしている。また、表側構成体１１１は正面視で略長方形状をなしている。
【００５５】
なお、詳細な説明は省略するが、表側構成体１１１の表側壁部１１４には、主制御基板１０１に設けられたコネクタを基板ボックス１０２の外部に露出させるための開口部や、放熱用の開口部や、主制御装置９２のＲＡＭに記憶された情報を消去するためのＲＡＭ消去スイッチを操作するための開口部が形成されている。表側構成体１１１にはその背面側から主制御基板１０１がネジ固定されている（所定の工具を用いて着脱可能な状態で取り付けられている）。表側構成体１１１への主制御基板１０１のネジ固定は、主制御基板１０１の半田面１０４側から行われており、主制御基板１０１の素子搭載面１０３に搭載された各種素子は、主制御基板１０１と表側構成体１１１との間の領域内に収容されている。ちなみに、表側壁部１１４の裏面側には主制御基板１０１に向けて延びる囲み壁部が形成されており、表側構成体１１１と主制御基板１０１との間の空間において主制御基板１０１のＣＰＵチップは囲み壁部により周囲が囲まれている。
【００５６】
主制御基板１０１が一体化された表側構成体１１１に対して、裏側構成体１１２が取り付けられている。裏側構成体１１２は、平面状に形成された裏側壁部１１６と、当該裏側壁部１１６の周縁を囲むようにして形成された裏側周縁部１１７と、が一体形成されてなる。裏側構成体１１２は、正面視で四角形状、具体的には長方形状をなす略板状に形成されている。
【００５７】
表側構成体１１１に対してその裏面側から裏側構成体１１２が取り付けられている。表側構成体１１１の表側周縁部１１３と裏側構成体１１２の裏側周縁部１１７とが重なっており、表側壁部１１４の裏面側への開放部分が裏側構成体１１２の裏側壁部１１６により閉塞される。つまり、表側壁部１１４と裏側壁部１１６とが対向している。
【００５８】
主制御基板１０１は、対向する表側壁部１１４と裏側壁部１１６とに挟まれている。主制御基板１０１の半田面１０４は、表側構成体１１１が裏側構成体１１２に取り付けられた状態にて、裏側構成体１１２により覆われている。主制御基板１０１の素子搭載面１０３はその全体が表側壁部１１４と対向しており、主制御基板１０１の半田面１０４はその全体が裏側壁部１１６と対向している。
【００５９】
上記構成の主制御装置９２が、主側取付台１０５に取り付けられている。主制御装置９２は、主側取付台１０５に取り付けられた状態にて裏側構成体１１２の裏面が主側取付台１０５側を向いている。
【００６０】
ここで、表側構成体１１１と裏側構成体１１２とを組み付ける構成について図９及び図１０を用いて説明する。図９（ａ）は表側構成体１１１の正面図及び底面図であり、図９（ｂ）は裏側構成体１１２の正面図及び底面図である。図１０は表側構成体１１１を裏側構成体１１２に取り付ける場合の説明図である。
【００６１】
両構成体１１１，１１２の組付に係る構成としては、両構成体１１１，１１２の相対移動を特定の規制方向のみに規制する規制手段と、両構成体１１１，１１２を相互に固定する固定手段と、を備えている。
【００６２】
先ず、規制手段について詳細に説明する。裏側周縁部１１７には、レール１１９が設けられている。レール１１９は、裏側周縁部１１７の長辺に沿うように、各長辺のそれぞれに設けられている。各レール１１９の溝は、略コの字状をなしており、互いに向き合うように形成されている。各レール１１９の溝は、レール１１９が延びる方向の内側を向いている。すなわち、各レール１１９は、当該レール１１９が向かい合う方向に開放されている。また、レール１１９の延びる方向にみて基板ボックス１０２の回動中心側が開放されている。
【００６３】
レール１１９に対応させて表側構成体１１１の上下の各長辺部には、レール差込部１２０が形成されている。レール差込部１２０は、表側周縁部１１３の長辺に沿うように、各長辺のそれぞれに設けられている。各レール差込部１２０は、表側周縁部１１３から当該各レール差込部１２０が互いに遠ざかる方向に突出した突条である。
【００６４】
図１０に示すように、各レール差込部１２０が、向き合うレール１１９における上記回動中心側の開放された側からそれぞれ差し込まれる。この場合、レール差込部１２０がレール１１９に沿って移動することにより、裏側構成体１１２に対して表側構成体１１１をスライド移動させることが可能となる。
【００６５】
スライド方向と異なる方向におけるレール１１９とレール差込部１２０との間には、隙間がない又はほとんどないように設定されている。これにより、表側構成体１１１と裏側構成体１１２とは、組み合わされた状態にて前後方向及び上下方向に移動しない又はほとんど移動しないように設定されている。つまり、レール１１９及びレール差込部１２０は、スライド方向と直交する方向に各構成体１１１，１１２が移動することを規制している。これにより、裏側構成体１１２に対して表側構成体１１１が差し込まれた状態にて、表側構成体１１１と裏側構成体１１２とがスライド方向と異なる方向に移動することを防止できる。
【００６６】
表側構成体１１１を差し込むスライド方向の手前側の短辺及び裏側構成体１１２のスライド方向の手前側の短辺には、それぞれレール差込部１２０の差込量を規定するための位置決め部が設けられている。
【００６７】
図７に示すように、裏側構成体１１２の位置決め部として、裏側構成体１１２の短辺には、スライド方向に向けて貫通した貫通孔１２１が設けられている。貫通孔１２１は、裏側構成体１１２の短辺に沿って複数分散して設けられている。具体的には、貫通孔１２１は、裏側構成体１１２における筒部１１０を形成する部材が設けられている位置を避けて設けられている。
【００６８】
図８に示すように、表側構成体１１１の位置決め部として、表側構成体１１１の短辺には、貫通孔１２１に対応して位置決め凸部１２２が設けられている。つまり、位置決め凸部１２２は、表側構成体１１１における筒部１１０を形成する部材が設けられている位置を避けて、表側構成体１１１の短辺に沿って複数分散して設けられている。位置決め凸部１２２は、表側構成体１１１のスライド方向の手前側の短辺を規定する表側周縁部１１３から立ち上がって設けられているとともに、立ち上がった先端部からスライド方向に向けて折れ曲がって延びている。つまり、位置決め凸部１２２は、Ｌ字状に延びている。
【００６９】
レール１１９に沿ってレール差込部１２０が差し込まれた場合、Ｌ字状に形成された位置決め凸部１２２の一辺（スライド方向に向けて折れ曲がって延びる部位）が貫通孔１２１に差し込まれるとともに、他辺（表側周縁部１１３から立ち上がった部位）が裏側構成体１１２の裏側周縁部１１７に当接する。位置決め凸部１２２の一辺が貫通孔１２１に差し込まれることにより、表側構成体１１１及び裏側構成体１１２のそれぞれが離間することを防止している。つまり、貫通孔１２１及び位置決め凸部１２２によって、裏側構成体１１２から表側構成体１１１が浮き上がることが防止されている。
【００７０】
なお、本実施の形態では貫通孔１２１及び位置決め凸部１２２のそれぞれは、各構成体１１１，１１２におけるスライド方向の手前側の短辺に沿って、それぞれ４箇所ずつ設けられているが、貫通孔１２１及び位置決め凸部１２２が設けられている数を変更してもよく、貫通孔１２１及び位置決め凸部１２２が少なくとも１箇所ずつに設けられていればよい。
【００７１】
基板ボックス１０２には、表側構成体１１１と裏側構成体１１２とがずれることがないように位置決めをする上で特徴的な構成がさらに設けられている。以下、かかる構成について図９に加え図１１を用いて説明する。図１１は、表側構成体１１１と裏側構成体１１２とが組み合わされた状態の部分断面図である。
【００７２】
裏側構成体１１２における表側構成体１１１のスライド方向の奥側には、表側構成体１１１の一部を収容する収容部１２３が設けられている。収容部１２３は、向かい合うレール１１９に挟まれて、裏側壁部１１６に設けられている。そして、表側構成体１１１がスライド移動され、レール１１９とレール差込部１２０とが結合された場合、表側構成体１１１の一部が収容部１２３に収容される。
【００７３】
収容部１２３は、裏側壁部１１６の各短辺における端部において立ち上がった（厚み方向に立ち上がった）側壁部１２５と、その側壁部１２５の立ち上がった先端部で各側壁部１２５間を繋ぐようにして延びる覆壁部１２７と、を備えている。つまり、覆壁部１２７は、裏側壁部１１６と対向して、すなわち裏側壁部１１６を覆うようにして設けられている。収容部１２３は、側壁部１２５及び覆壁部１２７によって囲まれた領域をスライド方向の奥側から閉鎖する閉鎖壁部１３０を備えている。これにより、収容部１２３は、スライド方向の手前側が開放された略箱状（略直方体状）をなしている。
【００７４】
表側構成体１１１のスライド方向の奥側には、収容部１２３に差し込まれた状態にて、収容部１２３と対向する対向部１３３が形成されている。対向部１３３には、対向側延出壁部１３４と対向側閉鎖壁部１３５とが設けられている。対向側延出壁部１３４は、表側構成体１１１の表側周縁部１１３及び表側壁部１１４に沿うようにして、スライド方向の奥側に向かって延びている。対向側閉鎖壁部１３５は、スライド方向の奥側を閉鎖するようにして対向側延出壁部１３４から連続して延びている。以下、対向側延出壁部１３４における表側構成体１１１の厚み方向を向いた部位を、前後対向壁部１３６ともいう。
【００７５】
前後対向壁部１３６は、表側周縁部１１３と段差を形成するようにして延びている。具体的には、表側周縁部１１３の反裏側壁部１１６側の端部よりも裏側構成体１１２側から延びている。これにより、表側周縁部１１３と前後対向壁部１３６とによって表側周縁部１１３に段差面１１３ａが形成されている。
【００７６】
収容部１２３に対向部１３３が差し込まれることにより、裏側構成体１１２が外側に位置するように、かつ、表側構成体１１１が内側に位置するように、各構成体１１１，１１２が重なり合って対向する。表側構成体１１１が裏側構成体１１２に差し込まれた状態、つまり収容部１２３に対向部１３３が差し込まれた状態では、表側周縁部１１３及び収容部１２３の正面側の端面が面一となっている。
【００７７】
詳細には、図１１に示すように、収容部１２３における覆壁部１２７は、対向部１３３の対向側延出壁部１３４における前後対向壁部１３６と重なり合っている。収容部１２３における閉鎖壁部１３０は、対向部１３３における対向側閉鎖壁部１３５と重なり合っている。具体的には、図９に示す領域Ｓの範囲において収容部１２３の内部に対向部１３３が収容されるように、覆壁部１２７及び前後対向壁部１３６と、閉鎖壁部１３０及び対向側閉鎖壁部１３５と、がそれぞれ重なり合っている。覆壁部１２７と前後対向壁部１３６とが対向することにより、各構成体１１１，１１２が厚み方向に位置ずれすることを抑制し、裏側構成体１１２から表側構成体１１１が浮き上がることを防止している。
【００７８】
以上の結果、収容部１２３と対向部１３３とが対向している箇所においては、表側構成体１１１と裏側構成体１１２とが上下方向及び厚み方向（前後方向）にずれることが防止される。
【００７９】
収容部１２３に対向部１３３が差し込まれた状態では、覆壁部１２７のスライド方向とは反対側の端面が、段差面１１３ａと当接している。ここで、表側周縁部１１３と収容部１２３との隙間から不正具を基板ボックス１０２の内部に侵入させようとする不正行為が想定される。本実施の形態では、当該隙間から不正具が侵入された場合、その不正具が前後対向壁部１３６に到達する。この場合、前後対向壁部１３６が返し部として機能し、不正具をそれ以上内部に侵入されることを防止できる。
【００８０】
表側周縁部１１３と、収容部１２３の外周と、の境界部が面一となる構成とした。これにより、表側構成体１１１における収容部１２３に覆われる部位と、覆われない部位との境界部にて収容部１２３が変形されにくくなる効果が期待される。つまり、収容部１２３を変形させようとして収容部１２３に外力を加えたとしても、その外力が収容部１２３を変形させる方向に伝わりにくくすることができる。
【００８１】
なお、覆壁部１２７及び前後対向壁部１３６と、閉鎖壁部１３０及び対向側閉鎖壁部１３５と、がそれぞれ当接した状態にて重なるようにしてもよい。この場合、重なり合った状態にて隙間が形成されることを抑制し、基板ボックス１０２内部にアクセスされることを抑制する効果を高めることができる。
【００８２】
以下、表側構成体１１１と裏側構成体１１２との固定手段について説明する。図６に示すように、固定手段として、第１固定部１５０と第２固定部１５５とが設けられている。第１固定部１５０及び第２固定部１５５のうちの一方は、基板ボックス１０２における一の短辺部に設けられているとともに、他方は前記一の短辺部と対向する短辺部に設けられている。詳細には、第１固定部１５０は各構成体を差し込む場合にスライド移動させるスライド方向の奥側に設けられているとともに、第２固定部１５５は上記スライド方向の手前側に設けられている。
【００８３】
第１固定部１５０は、表側構成体１１１に一体形成された第１表側固定領域１５８と、裏側構成体１１２に一体形成された第１裏側固定領域１５９と、を備えている。第１表側固定領域１５８には、対向側閉鎖壁部１３５からスライド方向の奥側に向けて板状に延びる固定板部１６０が設けられている。収容部１２３における閉鎖壁部１３０には、スライド方向に貫通した収容側貫通孔１６３が設けられている。固定板部１６０は、収容側貫通孔１６３を貫通することにより、収容部１２３よりもスライド方向の奥側に、すなわち、対向側閉鎖壁部１３５から基板ボックス１０２外側に向かって延びている。
【００８４】
収容部１２３における収容側貫通孔１６３よりも主側取付台１０５側には、固定板部１６０に対応した受け板部１６５が設けられている。受け板部１６５は、表側構成体１１１と裏側構成体１１２とが組み合わされた状態にて固定板部１６０と厚み方向に重なり合うように閉鎖壁部１３０から延びている。
【００８５】
固定板部１６０と受け板部１６５とには、重なり合った状態にて基板ボックス１０２の厚み方向に連通した連通孔を形成するように、それぞれ固定側連通孔１６７ａ、受け板側連通孔１６７ｂが設けられている。各連通孔１６７ａ，１６７ｂが連通された状態にてネジ部材が通され、ネジ部材と受け板側連通孔１６７ｂとがネジ結合される。これにより、第１固定部１５０にて表側構成体１１１と裏側構成体１１２とが固定される。また、各連通孔１６７ａ，１６７ｂは、それぞれ短辺が延びる方向にみて両端側に１箇所ずつ設けられている。つまり、第１固定部１５０では、表側構成体１１１と裏側構成体１１２とが２箇所にて固定されている。なお、第１固定部１５０にて固定される箇所は２箇所に限定されるものではなく、第１固定部１５０において表側構成体１１１と裏側構成体１１２とが１箇所にて固定されていてもよいし、３箇所以上にて固定されていてもよい。
【００８６】
次に、第２固定部１５５について説明する。第２固定部１５５には、表側構成体１１１に一体形成された第２表側固定領域１７０と、裏側構成体１１２に一体形成された第２裏側固定領域１７１と、が設けられている。第２表側固定領域１７０には、短辺部の両端側に複数（具体的には、２個）の表側結合部１７３が並設されているとともに、第２裏側固定領域１７１には、それら表側結合部１７３に１対１で対応させて裏側結合部１７４が並設されている。
【００８７】
表側結合部１７３には、基板ボックス１０２の厚み方向に貫通する表側貫通孔１７５が形成されている。裏側結合部１７４には、裏側連通孔１７７が形成されている。裏側連通孔１７７にはネジ溝が形成されており、表側貫通孔１７５及び裏側連通孔１７７に破断ネジ１８０が通され、裏側連通孔１７７と破断ネジ１８０とがネジ結合されている。破断ネジ１８０とは、装着作業と取り外し作業とを比較した場合、後者の方が困難となるものであり、一旦装着された後には、固定対象及び自身の少なくともいずれかの破壊を伴うことなくその取り外しが不可とされるものである。裏側連通孔１７７と破断ネジ１８０とがネジ結合されることにより、表側結合部１７３が破断ネジ１８０と裏側結合部とによって締結される。破断ネジ１８０を用いたことにより、表側構成体１１１と裏側構成体１１２とが離脱困難な状態で連結される。
【００８８】
破断ネジ１８０は、複数設けられた表，裏側結合部１７３，１７４の組み合わせのうち一部（具体的には１組）のものに差し込まれており、残りの表，裏側結合部１７３，１７４の組み合わせには破断ネジ１８０が差し込まれていない。破断ネジ１８０が差し込まれていない表，裏側結合部１７３，１７４は、基板ボックス１０２を開放した後に再び固定する場合に用いるものである。
【００８９】
本実施の形態では、破断ネジ１８０及び表側結合部１７３に特徴的な構成を有しており、破断ネジ１８０の一部が破断することにより、破断ネジ１８０の取り外し作業が困難なものとなる。以下、破断ネジ１８０の構成について説明する。図１２（ａ）は破断ネジ１８０の側面図であり、図１２（ｂ）は破断ネジ１８０の斜視図である。
【００９０】
破断ネジ１８０は、金属材料によって形成されており、ドライバなどの工具の先端を差込可能な頭部１９０を有する領域と、ネジ溝が形成された軸部１９３を有する領域と、を備えている。破断ネジ１８０は、これら両領域が破断部１９５によって連結されてなる。なお、破断ネジ１８０を合成樹脂材料によって形成することも可能である。
【００９１】
頭部１９０は、円柱形状を有しており、第１頭部形成部１９０ａと第２頭部形成部１９０ｂとからなる。第１頭部形成部１９０ａは、その頂部にドライバ等の工具が差し込まれる操作溝が設けられているとともに、平坦状に延びている。操作溝は、頭部１９０において軸部１９３とは反対側の面に設けられている。操作溝にドライバ等が差し込まれた状態にてそのドライバ等を回転させることにより、軸部１９３をその軸線を中心として回転させることができる。第２頭部形成部１９０ｂは、第１頭部形成部１９０ａから連続して軸部１９３側に延びているとともに、第１頭部形成部１９０ａよりも縮径されている。なお、頭部１９０は工具の先端が差し込まれその工具が操作されることにより破断ネジ１８０による螺着が行われるため、頭部１９０を「操作部１９０」と称することも可能である。
【００９２】
軸部１９３には、上記のとおりネジ溝が形成されており、頭部１９０に対するドライバによる操作に伴って回転することで、締結対象に形成されたネジ孔内に入り込む。軸部１９３には、当該ネジ溝の一部を形成するようにして図示しない突起が形成されているとともに、当該突起は一連のネジ溝に沿って断続的に多数形成されている。かかる突起が締結対象のネジ孔に食い込むことにより、高いゆるみ止め効果が得られる。
【００９３】
破断部１９５はその強度が他の部位よりも低く設定されたものであり、それ以上締めることができない位置において頭部１９０に対して上記工具によりさらに所定以上の力（トルク）を加えることにより、上記破断部１９５が切断され、頭部１９０側の領域と軸部１９３側の領域とが分離されるものである。つまり、破断ネジ１８０は、螺着後（切断後）において、上記工具を用いて緩める方向へ回転させることを不可とするものである。
【００９４】
詳細には、頭部１９０側には、頭部１９０（第２頭部形成部１９０ｂ）を一端として軸部１９３側に延びるとともに、頭部１９０側から軸部１９３側に延びるにつれその径方向の大きさが縮小される頭部側絞部１９８ａが設けられている。破断部１９５の軸部１９３側には、軸部１９３側を一端として頭部１９０側に延びるとともに、軸部１９３側から頭部１９０側に延びるにつれその径方向の大きさが縮小される軸部側絞部１９８ｂが設けられている。
【００９５】
なお、軸部側絞部１９８ｂは、軸部１９３との境界から頭部１９０側になるにつれ頭部側絞部１９８ａの最大径と同一の径となるまで拡径されており、さらに、頭部側絞部１９８ａと同径となった部位から破断部１９５に向けて縮径されている。
【００９６】
各絞部１９８ａ，１９８ｂの縮小された側となる互いに向き合う端部は連続しており、その連続箇所が破断部１９５となっている。すなわち、破断部１９５は、他の部位よりも径が小さく形成されていることにより、その強度が他の部位よりも低くなっている。このように破断部１９５を設けることにより、それ以上締めることができない位置において頭部１９０に対して上記工具によりさらに所定以上の力を加えた場合に、破断部１９５が切断され易くなっている。
【００９７】
破断ネジ１８０における軸部１９３よりも反頭部１９０側には、ネジ溝が形成されていない先端部２００が形成されている。つまり、軸部１９３は、破断部１９５と先端部２００とに挟まれて設けられている。
【００９８】
次に、破断ネジ１８０が差し込まれる表側結合部１７３及び裏側結合部１７４について図１２（ｃ）〜（ｅ）を用いて説明する。図１２（ｃ）は表側結合部１７３の平面図であり、図１２（ｄ）、（ｅ）は表側結合部１７３及び裏側結合部１７４を組み合わせた状態における部分断面図であり、図１２（ｄ）は破断部１９５が破断する前の状態を示しており、図１２（ｅ）は破断部１９５が破断した後の状態を示している。
【００９９】
上述したように表側結合部１７３には表側貫通孔１７５が形成されており、表側結合部１７３は円筒状となっている。表側貫通孔１７５には軸線方向に複数の突出部が形成されており、これら突出部によって表側貫通孔１７５内において頭部１９０の位置が規定されている。ちなみに表側貫通孔１７５の孔径は、破断ネジ１８０の第１頭部形成部１９０ａの外径よりも大径となるように形成されている。
【０１００】
表側貫通孔１７５内における突出部として、破断ネジ１８０の差込側に設けられた差込側突出部２０２と、差込側突出部２０２よりも破断ネジ１８０の差込方向の下流側に位置する下流側突出部２０４と、が設けられている。各突出部２０２，２０４は、表側貫通孔１７５を規定する表側結合部１７３の内周面から表側貫通孔１７５の中央に向かって延びている。なお、図１２（ｄ）、（ｅ）における差込側突出部２０２については、手前側の端面のみを記載している。
【０１０１】
下流側突出部２０４は、表側結合部１７３の内周面に等間隔に位置するように複数箇所に設けられている。具体的には、下流側突出部２０４は、４箇所に設けられており、１の下流側突出部２０４が設けられている位置の反対側に、その他の１の下流側突出部２０４が対向するようにして設けられている。その複数の下流側突出部２０４に保持されるようにして、表側貫通孔１７５には破断ネジ１８０における軸部１９３が通される通し部２０６が設けられている。
【０１０２】
通し部２０６には、軸部１９３が通されるように貫通した通し孔２０８が形成されている。通し部２０６の径は、軸部側絞部１９８ｂにおける軸部１９３側の端部とほぼ同じ径となっている。軸部側絞部１９８ｂの軸部１９３側の端面と、通し部２０６の頭部１９０側の端面と、が当接するまで軸部１９３が通し孔２０８に差し込まれる。
【０１０３】
下流側突出部２０４よりも破断ネジ１８０の差込側には、下流側突出部２０４及び表側結合部１７３の内周面から連続した連続突出部２１１が設けられている。連続突出部２１１は、差込側突出部２０２に向かって延びている。連続突出部２１１は、表側結合部１７３の内部にて等間隔に４箇所に設けられており、１の連続突出部２１１とその他の１の連続突出部２１１とが対向するようにして設けられている。
【０１０４】
連続突出部２１１が対向することにより形成される隙間に、破断ネジ１８０における軸部側絞部１９８ｂから第２頭部形成部１９０ｂの一部までの領域が入り込む。ここで、軸部１９３の軸線方向と直交する方向への連続突出部２１１の突出している突出量が、連続突出部２１１が対向している領域に第１頭部形成部１９０ａが入り込むことがないよう設定されている。つまり、連続突出部２１１が対向することにより形成される隙間は第１頭部形成部１９０ａの径よりも小さく、連続突出部２１１が形成されている領域よりも下流側突出部２０４側に第１頭部形成部１９０ａが入り込むことを防止している。
【０１０５】
差込側突出部２０２は、連続突出部２１１よりも表側結合部１７３の内側への突出量が小さく（若干小さく）なるように設けられている。差込側突出部２０２は、表側結合部１７３の内部に等間隔に位置するように複数箇所に設けられている。具体的には、差込側突出部２０２は、４箇所に設けられており、１の差込側突出部２０２が設けられている位置の反対側に、その他の１の差込側突出部２０２が対向するようにして設けられている。差込側突出部２０２と下流側突出部２０４及び連続突出部２１１とは、軸部１９３の軸線方向に対向することがないように表側結合部１７３の周方向に位置ずれしている。
【０１０６】
本構成であることにより、通し部２０６の軸線方向と直交する方向にて、差込側突出部２０２及び下流側突出部２０４が設けられていない箇所には、軸線方向に貫通した隙間が形成される。つまり、各突出部２０２，２０４が表側結合部１７３の内周面に分散されて突出していることにより、表側貫通孔１７５が軸線方向に貫通している。
【０１０７】
差込側突出部２０２は、下流側突出部２０４側になるにつれ、軸部１９３の軸線方向と直交する方向への突出量が大きくなっている。つまり、差込側突出部２０２の反連続突出部２１１側の面には、なだらかに通し部２０６の軸線中心に向かう傾斜が形成される。差込側突出部２０２の突出量が変化することにより、差込側突出部２０２の先端部には軸線方向に肉薄となった部位が形成されている。
【０１０８】
差込側突出部２０２の突出量は、差込側突出部２０２が対向することにより形成される隙間が第１頭部形成部１９０ａの径よりも小さくなるように設定されている。ここで、破断ネジ１８０を通し孔２０８に差し込む場合について説明する。破断ネジ１８０を差し込む場合、上記隙間が第１頭部形成部１９０ａよりも小さいことにより、差込側突出部２０２の反連続突出部２１１側の面に第１頭部形成部１９０ａが当接する。当該面に第１頭部形成部１９０ａが当接した場合、差込側突出部２０２は、第１頭部形成部１９０ａに押圧されることにより、連続突出部２１１側に向かって弾性変形する。具体的には、差込側突出部２０２の突出量が変化することにより形成される肉薄となった部位が弾性変形する。このため、上記隙間が第１頭部形成部１９０ａの径よりも小さいとしても、差込側突出部２０２よりも連続突出部２１１側に第１頭部形成部１９０ａを差し込むことができる。
【０１０９】
第１頭部形成部１９０ａが差込側突出部２０２よりも連続突出部２１１側に移動した場合には、差込側突出部２０２に加えられていた押圧が解除され、差込側突出部２０２の復元力によって差込側突出部２０２が弾性変形していない状態に戻る。差込側突出部２０２の弾性変形が解除された場合、頭部１９０が差込側突出部２０２よりも表側結合部１７３の外部に移動しようとしても、頭部１９０の反軸部１９３側の周縁部が差込側突出部２０２の軸部１９３側の面にて係合されることにより、頭部１９０が差込側突出部２０２よりも反軸部１９３側に移動することが規制される。
【０１１０】
本パチンコ機１０では、差込側突出部２０２の軸部１９３側の面は、頭部１９０の反軸部１９３側の面と略並行に延びる平面状をなしている。つまり、頭部１９０の反軸部１９３側の面と、差込側突出部２０２の軸部１９３側の面と、が軸部１９３の軸線方向と略直交する方向にて略平行に形成されている。本構成であることにより、頭部１９０と差込側突出部２０２との軸部１９３の軸線方向への係合をより強固なものとしている。
【０１１１】
上記構成であることにより、破断ネジ１８０を通し孔２０８に差し込んだ場合には、第１頭部形成部１９０ａが差込側突出部２０２と連続突出部２１１とに挟まれて位置することとなる。
【０１１２】
上記のとおり破断ネジ１８０は、破断部１９５を備えており、頭部１９０側と軸部１９３側とに分離可能となっている。ここで本パチンコ機１０における表側結合部１７３には、破断部１９５の破断後において頭部１９０をその表側結合部１７３内から取り外そうとしても、それを不可とする構成が設けられている。以下にかかる構成について図１２（ｅ）を用いて説明する。
【０１１３】
上述したように、破断部１９５が破断した場合、頭部１９０側の領域と軸部１９３側の領域とが分離される。軸部１９３側の領域は、軸部１９３が裏側連通孔１７７とネジ結合されることにより、固定された状態となっている。一方、頭部１９０側の領域は、固定される箇所がなく、移動可能となっている。
【０１１４】
頭部１９０側の領域は、差込側突出部２０２と連続突出部２１１とに挟まれて第１頭部形成部１９０ａが位置していることにより、当該軸線方向にみて差込側突出部２０２から連続突出部２１１までの領域にて軸部１９３の軸線方向に移動可能となる。すなわち、図１２（ｅ）に示す長さＬ１の範囲において移動可能となる。
【０１１５】
頭部１９０側の領域は、軸部１９３の軸線方向と直交する方向にみた場合、表側貫通孔１７５内において移動可能となる。すなわち、図１２（ｅ）に示す長さＬ２の範囲において移動可能となり、表側結合部１７３の内周面に当接するまでの範囲にて移動可能となる。
【０１１６】
頭部１９０側の領域が傾倒する場合、第１頭部形成部１９０ａの反軸部１９３側の端面が差込側突出部２０２の軸部１９３側の端面に接するまでの範囲にて傾倒可能となっている。第１頭部形成部１９０ａの傾倒範囲は、第１頭部形成部１９０ａの軸線と、軸部１９３の軸線とが極端にずれることがないように設定されている。つまり、長さＬ２の範囲が、第１頭部形成部１９０ａが傾倒した状態にて各軸線がさほどずれないように設定されている。
【０１１７】
ここで、分離した頭部１９０がいずれの位置に移動したとしても、当該頭部１９０が軸部１９３の軸線中心を反軸部１９３側から覆うように設定されている。これは、分離した頭部１９０における第１頭部形成部１９０ａを表側結合部１７３の内周面に当接させた状態にて、直接軸部１９３側の軸線に直接アクセスされることを防止するための工夫である。
【０１１８】
頭部１９０側の領域がいずれかの方向に傾倒したとしても、第１頭部形成部１９０ａが表側結合部１７３の内周面に当接した場合、第１頭部形成部１９０ａの少なくとも一部が４箇所の差込側突出部２０２のそれぞれに反軸部１９３側から遮蔽される。これにより、破断部１９５が破断された場合、頭部１９０側の領域を表側結合部１７３の内部に保持することが可能となる。つまり、第２頭部形成部１９０ｂが傾倒した状態にていずれの位置に移動したとしても、第１頭部形成部１９０ａが差込側突出部２０２よりも反軸部１９３側に移動することがないように差込側突出部２０２の突出量が設定されている。
【０１１９】
頭部１９０側の領域がいずれかの方向に傾倒したとしても、第１頭部形成部１９０ａが表側結合部１７３の内周面に当接した場合、第１頭部形成部１９０ａに４箇所の連続突出部２１１のそれぞれが反軸部１９３側から遮蔽される。つまり、頭部１９０の位置に関らず、連続突出部２１１が断続的に設けられていることにより形成される隙間の少なくとも一部を頭部１９０が反軸部１９３側から覆うように設定されている。これは、当該隙間から軸部１９３側の領域にアクセスされることを防止するための工夫である。
【０１２０】
裏側結合部１７４について説明する。裏側結合部１７４は、円筒状に形成されている。裏側結合部１７４は、表側結合部１７３と厚み方向に重なるようにして設けられている。裏側結合部１７４には、当該裏側結合部１７４の内周面から突出する裏側突出部２０９が設けられている。裏側突出部２０９は、下流側突出部２０４と軸線方向に重なるようにして、軸部１９３の軸線方向と直交する方向に突出している。つまり、裏側結合部１７４には、軸線方向に延びる隙間が形成されている。その隙間は、表側結合部１７３における軸線方向に貫通した隙間と連続している。
【０１２１】
裏側結合部１７４には、上記裏側連通孔１７７が形成された連通孔形成部２１０が設けられている。具体的には、連通孔形成部２１０は、裏側突出部２０９の先端箇所から連続して設けられている。連通孔形成部２１０は、通し部２０６と重なるようにして、裏側結合部１７４の軸線中心に位置している。各結合部１７３，１７４が当接した場合には、通し孔２０８と裏側連通孔１７７とが連通される。各孔１７７，２０８に破断ネジ１８０における軸部１９３が通されることにより、各結合部１７３，１７４が連結される。
【０１２２】
次に、主側取付台１０５における差込軸部１０９が主制御基板１０１における筒部１１０に差し込まれる場合について説明する。本パチンコ機１０は、差込軸部１０９が筒部１１０に差し込まれた状態にて基板ボックス１０２が開放されることを規制する開放規制手段と、主制御基板１０１を回動可能に主側取付台１０５に固定する回動手段と、を有している。先ず、開放規制手段について説明した後に回動手段について説明する。
【０１２３】
本パチンコ機１０では、開放規制手段として、表側構成体１１１と裏側構成体１１２とが組み合わされることによって筒部１１０が形成されている。以下、かかる構成について図１３及び図１４を用いて説明する。図１３（ａ）は表側構成体１１１の裏面図であり、図１３（ｂ）は表側構成体１１１の底面図であり、図１３（ｃ）は裏側構成体１１２の正面図である。図１４（ａ）は基板ボックス１０２を分解した状態の底面図であり、図１４（ｂ）、（ｃ）は筒部１１０周辺を拡大した拡大図である。
【０１２４】
図１３に示すように、表側構成体１１１には、筒部１１０の一部を形成する表側筒形成部２３０が設けられている。裏側構成体１１２には、筒部１１０の一部を形成する裏側筒形成部２３３が設けられている。各筒形成部２３０，２３３は、それぞれ各構成体１１１，１１２の長辺が延びる方向に短辺から張り出して設けられている。各筒形成部２３０，２３３は、各構成体１１１，１１２にそれぞれ一体形成されている。
【０１２５】
表側筒形成部２３０には、底側からみた場合に半円状をなす表側円形溝部２３５が設けられている。表側円形溝部２３５は、表側筒形成部２３０の底面から天井面に向かって延びている。つまり、表側円形溝部２３５が設けられている部位においては、表側筒形成部２３０が裏側構成体１１２に向けて開放されているとともに、その下方が開放されている。表側円形溝部２３５よりも表側筒形成部２３０の天井側の部位には、天井側溝部２３８が設けられている。天井側溝部２３８は、表側筒形成部２３０の反裏側構成体１１２の方向に表側円形溝部２３５よりも大きく凹んでいる。天井側溝部２３８の基板ボックス１０２の長辺が延びる方向に開放された範囲は、表側円形溝部２３５と開放されている範囲がほぼ同一となっている（詳細には、天井側溝部２３８の方が、長辺が延びる方向に若干大きく開放されている）。
【０１２６】
裏側筒形成部２３３には、図１４に示すように底側からみた場合に半円状をなす裏側円形溝部２４０が設けられている。裏側円形溝部２４０は、表側筒形成部２３０の各溝部２３５，２３８に対向するようにして延びている。つまり、裏側円形溝部２４０が設けられている部位においては、裏側筒形成部２３３が表側構成体１１１に向けて開放されているとともに、その下方が開放されている。
【０１２７】
裏側円形溝部２４０の設けられた範囲は、各構成体１１１，１１２が組み合わされた状態にて、表側筒形成部２３０における表側円形溝部２３５と天井側溝部２３８とが設けられた範囲と重なっている。そして、各構成体１１１，１１２が組み合わされた場合、その内部に空洞が形成されるとともに、基板ボックス１０２を底側からみた場合、円形の開口２４３を有した状態にて筒部１１０が形成される。筒部１１０は、その上方が閉鎖されているとともに、各筒形成部２３０，２３３にそれぞれ下方に開放された円形溝部２３５，２４０が設けられていることにより、その下方が開放されている。
【０１２８】
図１５に示すように、各構成体１１１，１１２が組み合わされ基板ボックス１０２が形成されている状態にて、差込軸部１０９の先端側から基端側に向かって筒部１１０が差し込まれる。差込軸部１０９が延びる方向と直交する方向から筒部１１０が差込軸部１０９を覆うことにより、差込軸部１０９と筒部１１０とが回動可能に係合された状態となる。ここで、上記開口２４３の径は、差込軸部１０９の径と略同一（詳細には開口２４３の径が若干大きい）に設定されている。この結果、差込軸部１０９が筒部１１０と係合された状態にて、差込軸部１０９が延びる方向と直交する方向に基板ボックス１０２が移動しない又はほとんど移動しないものとできる。
【０１２９】
表側構成体１１１と裏側構成体１１２とによって筒部１１０が形成された場合、筒部１１０における表側構成体１１１と裏側構成体１１２との境界部は、差込軸部１０９の左右方向に位置している。つまり、差込軸部１０９は、上記境界部に跨るようにして差し込まれている。具体的には、筒部１１０における境界部と、差込軸部１０９と、が上記スライド移動させる方向において同一直線上に位置している。これにより、差込軸部１０９と筒部１１０とが係合された状態では、各構成体１１１，１１２をスライド移動させ、基板ボックス１０２を開放しようとしても、差込軸部１０９によって各構成体１１１，１１２の一方がスライド移動されることを防止できる。つまり、筒部１１０と差込軸部１０９とが係合されることにより、各構成体１１１，１１２の一方がスライド移動されることを抑制する効果を高めている。
【０１３０】
差込軸部１０９及び筒部１１０と、レール１１９及びレール差込部１２０と、の相対関係について説明する。上述したように、筒部１１０は基板ボックス１０２における短辺から延びており、レール１１９及びレール差込部１２０は基板ボックス１０２における長辺に沿って設けられている。差込軸部１０９が延びる方向は、各構成体１１１，１１２を結合させる場合の上記スライド方向とは異なっている。具体的には、上記スライド方向と略直交した方向に延びている。つまり、筒部１１０に差込軸部１０９が差し込まれる方向（上下方向）と、上記スライド移動させる方向（左右方向）とが略直交している。
【０１３１】
なお、筒部１１０は、差込軸部１０９と筒部１１０とが係合された状態にて、下張出部１０７ｂに載っている。これは、差込軸部１０９及び筒部１１０の内周面に、基板ボックス１０２の重量による負荷の全てがかかり、差込軸部１０９や筒部１１０が変形することを防止するための工夫である。
【０１３２】
本パチンコ機１０では、基板ボックス１０２が、上述した破断ネジ１８０を用いて主側取付台１０５に対して離脱困難な状態で取り付けられる。以下、かかる構成について説明する。
【０１３３】
先ず、筒部１１０に破断ネジ１８０が差し込まれる状態について説明する。図１６（ａ）は図１５におけるＡ−Ａ線部分断面図であり、図１６（ｂ）は基板ボックス１０２における筒部１１０を底面から視認した場合の説明図である。図１７（ａ）は主側取付台１０５を各張出部１０７ａ，１０７ｂの張出方向側からみた側面図であり、図１７（ｂ）は主側取付台１０５の正面図である。なお、図１６（ａ）では裏側構成体１１２の図示を省略している。
【０１３４】
筒部１１０には、基板ボックス１０２の厚み方向に延びるようにして、筒側結合部２８３が２箇所に設けられている。筒側結合部２８３における一部の部位は、上述した表側結合部１７３と同形状をなしている。具体的には、筒側結合部２８３は円筒状をなしており、基板ボックス１０２の厚み方向に貫通した筒側貫通孔２８３ａが形成されている。そして、筒側貫通孔２８３ａ内において、表側結合部１７３における差込側突出部２０２、下流側突出部２０４及び連続突出部２１１と同様に筒差込側突出部２８５ａ、筒下流側突出部２８５ｂ及び筒連続突出部２８５ｃがそれぞれ設けられている。さらには、通し部２０６に代えて、破断ネジ１８０が差し込まれる筒側通し部２８６が設けられている。筒側通し部２８６には、破断ネジ１８０の軸部１９３が通されるとともに、ネジ溝が形成されている溝形成孔２８７が形成されている。これにより、破断ネジ１８０の軸部１９３と筒側結合部２８３とがネジ結合されている。
【０１３５】
なお、筒差込側突出部２８５ａ、筒下流側突出部２８５ｂ、筒連続突出部２８５ｃ及び筒側通し部２８６の位置関係は、差込側突出部２０２、下流側突出部２０４、連続突出部２１１及び通し部２０６のものと同様となっているため、説明を省略する。つまり、破断ネジ１８０が筒側結合部２８３に差し込まれた場合には、破断ネジ１８０における頭部１９０側の領域の取り外しが不可となる。
【０１３６】
本実施の形態では、破断ネジ１８０により、基板ボックス１０２の回動が阻害されないようになっている。具体的には、差込軸部１０９には破断ネジ１８０における先端部２００が差し込み可能なネジ差込部２８８が設けられている。また、破断ネジ１８０が設置された状態では、図１６（ａ）に示すように、表側円形溝部２３５が設けられていることにより開放された部位に、当該破断ネジ１８０の先端部２００が入り込んでいる。このため、図１６（ｂ）に示すように、破断ネジ１８０の先端部２００が筒部１１０の開口２４３に突出している。その突出した破断ネジ１８０の先端部２００がネジ差込部２８８に差し込まれるようになっている。
【０１３７】
次に、回動手段としての差込軸部１０９について図１６及び図１７に加え、図１８及び図１９を用いて説明する。図１８（ａ）は図１７（ａ）において筒部１１０が差し込まれた場合を示す断面図であり、図１８（ｂ）〜（ｄ）は、差込軸部１０９及び筒部１１０を上方から視認したものであり、基板ボックス１０２が回動する場合を示す説明図である。また、図１９は、主制御装置９２が回動する場合の説明図である。なお、図１８（ｂ）〜（ｄ）では、差込軸部１０９、筒部１１０及び破断ネジ１８０の断面図を示しており、それ以外の部材については図示を省略している。
【０１３８】
ネジ差込部２８８は差込軸部１０９に上下２箇所に設けられている。２箇所のネジ差込部２８８のうち、一方のもの（上側のもの）に破断ネジ１８０が差し込まれている。ネジ差込部２８８は、差込軸部１０９が当該差込軸部１０９の軸線方向と直交する方向にて弧を描くように凹んで形成されている。具体的には、ネジ差込部２８８には、差込軸部１０９の軸線が通過する部位を残しつつ、差込軸部１０９の側方に向かって約２００度の弧を描くように凹んだ部位が設けられている。つまり、差込軸部１０９には、周方向に延びるとともに、差込軸部１０９の外周に向けて開放された凹部２８９が設けられている。ネジ差込部２８８が差込軸部１０９の軸線が通過する部位を残して形成されているので、差込軸部１０９には当該差込軸部よりも縮径された小径部２９０が形成されている。つまり、小径部２９０は、差込軸部１０９とその軸線が同一線上に位置している。小径部２９０は、凹部２８９が弧を描くように凹んでいることにより、その外周が円形を有している。
【０１３９】
凹部２８９が設けられていることにより、差込軸部１０９が延びる方向にて対向する天井面２９２と底面２９３とがネジ差込部２８８に形成される。ネジ差込部２８８に凹部２８９が弧状に設けられていることにより、ネジ差込部２８８には、差込軸部１０９の軸線方向と平行に延びる起立面２９１が形成されている。ネジ差込部２８８が差込軸部１０９が凹むようにして形成されていることにより、小径部２９０と、天井面２９２及び底面２９３を形成する部位とが一体形成されていることとなる。
【０１４０】
筒部１１０に差込軸部１０９を差し込んだ状態にて、破断ネジ１８０を筒側結合部２８３にネジ込んだ場合、図１８（ａ）に示すように、差込軸部１０９の延びる方向に破断ネジ１８０が係合された状態となる。つまり、破断ネジ１８０が、天井面２９２と底面２９３とに挟まれて位置している。具体的には、破断ネジ１８０の先端部２００が、差込軸部１０９の延びる方向と直交する方向からネジ差込部２８８に入り込んでいる。より詳細には、破断ネジ１８０における先端部２００が、ネジ差込部２８８の天井面２９２と底面２９３とに挟まれている。つまり、破断ネジ１８０の先端部２００とネジ差込部２８８とが、差込軸部１０９の延びる方向にて係合されている。
【０１４１】
上記構成であることにより、差込軸部１０９の延びる方向においては、ネジ差込部２８８の天井面２９２と底面２９３とに挟まれた領域内において先端部２００が移動できる範囲（つまり、各面２９２，２９３と先端部２００とによって形成される隙間の範囲）以上に筒部１１０を移動させることができない。この結果、筒部１１０と差込軸部１０９とが上下方向に係合された状態となり、破断ネジ１８０が設置された状態にて筒部１１０が差込軸部１０９から引き抜かれることを防止できる。
【０１４２】
２箇所のネジ差込部２８８のうち、破断ネジ１８０が差し込まれていないもの（下側のもの）は、メンテナンス等のために基板ボックス１０２を開放した後に再び基板ボックス１０２を固定する場合に破断ネジ１８０を設置するために使用される。
【０１４３】
ここで、筒部１１０と差込軸部１０９とが固定された状態にて、基板ボックス１０２を回動させる場合について説明する。基板ボックス１０２が主側取付台１０５における搭載領域１０６に沿って位置している場合、図１８（ｂ）に示すように、破断ネジ１８０の軸部１９３と、ネジ差込部２８８における起立面２９１の延びる方向とが略平行となっている。
【０１４４】
基板ボックス１０２をパチンコ機１０の後方側に向かって回動させようとした場合、図１８（ｃ）に示すように、破断ネジ１８０における先端部２００が、小径部２９０（差込軸部１０９）の軸線を中心として凹部２８９内にて周方向に移動する。これにより、小径部２９０の軸線を中心として、基板ボックス１０２を回動させることが可能となる。つまり、基板ボックス１０２が主側取付台１０５に対して回動する場合に、破断ネジ１８０がその回動を阻害することを防止できる。
【０１４５】
上述したように小径部２９０の外周が円形を有している。これは、破断ネジ１８０の先端部２００が小径部２９０の外周面に引っ掛かることを抑制するための工夫である。これにより、基板ボックス１０２が回動する場合に破断ネジ１８０がその回動を阻害することを防止する効果を高めている。
【０１４６】
小径部２９０の軸線が差込軸部１０９の軸線と同一線上となる構成とした。これにより、差込軸部１０９の強度を高めることが可能となる。この結果、基板ボックス１０２が回動される場合に差込軸部１０９が破損することを防止できる。また、小径部２９０と、天井面２９２及び底面２９３を形成する部位と、が一体形成されている構成とした。これにより、小径部２９０の強度を高めることが可能となり、上記差込軸部１０９の強度を高める効果を顕著なものとできる。
【０１４７】
筒部１１０をさらに回転させた場合、図１８（ｄ）に示すように、先端部２００が再び起立面２９１の延びる方向と略平行となる。先端部２００が起立面２９１に当接した場合には、それ以上筒部１１０を回転させることができない。これにより、当該起立面２９１によって、筒部１１０を回転させることが可能な範囲が規定されている（本実施の形態では、約１８０度に規定されている）。以下、基板ボックス１０２が搭載領域１０６に搭載されている状態にて先端部２００と対向している起立面２９１を回動始点面２９６という。回動始点面２９６からみて先端部２００と対向することにより基板ボックス１０２をそれ以上回動させることができなくする起立面２９１を回動終点面２９７という。
【０１４８】
上記構成であることにより、破断ネジ１８０により差込軸部１０９と筒部１１０とを上下方向に係合した状態にて、差込軸部１０９に対して筒部１１０、ひいては基板ボックス１０２を図１９に示すように回動させることが可能となる。具体的には、回動始点面２９６に先端部２００が当接した状態から上記回動が開始され、回動終点面２９７に先端部２００が当接するまで回動可能となる。つまり、回動始点面２９６及び回動終点面２９７によって、基板ボックス１０２の回動可能な範囲が規定されている。本パチンコ機１０では、回動始点面２９６と回動終点面２９７とはそれぞれ略平行に延びており、基板ボックス１０２の回動可能な範囲を約１８０度に規定している。
【０１４９】
本パチンコ機１０では、差込軸部１０９と破断ネジ１８０の軸部１９３とうち、それらの差込方向と直交する方向の断面積が、差込軸部１０９の方が大きい。基板ボックス１０２を回動させる場合、差込軸部１０９に負荷がかかり易く、主側取付台１０５と基板ボックス１０２との係合箇所には十分な強度を与えることが望ましい。筒部１１０に差込軸部１０９を差し込む構成にしたことは、差込軸部１０９の径を十分な大きさに設定し、基板ボックス１０２を回動させた場合に、差込軸部１０９が破損することを抑制するための工夫である。
【０１５０】
ここで、基板ボックス１０２を開放する場合について説明する。パチンコ機１０のメンテナンスを行う場合等、基板ボックス１０２の開放を要することがある。この場合、破断ネジ１８０とネジ結合している部位（裏側結合部１７４、筒側結合部２８３）については、破断ネジ１８０がネジ結合されている部位の周辺を切断し、破断ネジ１８０を取り外す。これにより、差込軸部１０９と筒部１１０との取り外しと、表側構成体１１１と裏側構成体１１２との分離と、がそれぞれ可能となる。
【０１５１】
図１３（ａ）に示すように、筒部１１０には、基板ボックス１０２の短辺と連結するようにして、予備の破断ネジ１８０を収容する破断ネジ備蓄部３００が設けられている。破断ネジ備蓄部３００は、各構成体１１１，１１２にそれぞれ設けられており、各構成体１１１，１１２が相互に対向する側に開放されるようにして設けられている。詳細な説明は省略するが、表側構成体１１１側の破断ネジ備蓄部３００には、予備の破断ネジ１８０を位置決めするための突起が設けられている。予備の破断ネジ１８０は、その突起に係合されることにより、破断ネジ備蓄部３００に収容されている。
【０１５２】
ここで、２回目の取付処理を行う場合の作業の流れを説明する。２回目の取付処理では、複数の第２固定部１５５及び筒側結合部２８３のうち、最初の固定の際に使用していない第２固定部１５５及び筒側結合部２８３を使用する。そして、表側構成体１１１と裏側構成体１１２とを取付状態とするとともに、主側取付台１０５に対して離脱不可又は離脱困難な状態で基板ボックス１０２を取り付ける。以下、かかる処理について説明する。
【０１５３】
先ず、表側構成体１１１に裏側構成体１１２を取り付ける。具体的には、当初使用していない第２固定部１５５を用いる。その第２固定部１５５における裏側連通孔１７７及び通し孔２０８に一般的なネジ部材を通し、表側構成体１１１に裏側構成体１１２を取り付ける。つまり、一般的なネジ部材を用いて、表側構成体１１１に裏側構成体１１２を着脱可能な状態にて取り付ける。
【０１５４】
次に、最初の固定の際に使用していない筒側結合部２８３に破断ネジ１８０を差し込み、表側筒形成部２３０に裏側筒形成部２３３を取り付ける。この場合、破断ネジ備蓄部３００に収容されていた破断ネジ１８０を用いて、筒部１１０に差込軸部１０９が差し込まれた状態にて筒側結合部２８３と破断ネジ１８０の軸部１９３とがネジ結合される。これにより、差込軸部１０９と筒部１１０とが回動可能に、且つ、主側取付台１０５から離脱不可又は離脱困難な状態となる。
【０１５５】
上述したように、筒部１１０が表側構成体１１１と裏側構成体１１２とが組み合わされて形成されており、各構成体１１１，１１２が差込軸部１０９に係合された状態となる。このため、破断ネジ１８０による固定を解除しない限り、表側構成体１１１と裏側構成体１１２とを分離させることができない。つまり、表側構成体１１１に裏側構成体１１２が一般的なネジ部材により取り付けられているとしても、各構成体１１１，１１２を分離させることができない。
【０１５６】
次に、パチンコ機１０の電気的構成について、図２０のブロック図に基づいて説明する。図２０では、電力の供給ラインを二重線矢印で示し、信号ラインを実線矢印で示す。
【０１５７】
主制御装置９２に設けられた主制御基板１０１には、主制御回路３０４と停電監視回路３１０とが内蔵されている。主制御回路３０４には、ＣＰＵチップ３１１が搭載されている。ＣＰＵチップ３１１には、当該ＣＰＵチップ３１１により実行される各種の制御プログラムや固定値データを記憶したＲＯＭ３０６と、そのＲＯＭ３０６内に記憶される制御プログラムの実行に際して各種のデータ等を一時的に記憶するためのメモリであるＲＡＭ３０７と、割込回路やタイマ回路、データ入出力回路などの各種回路が内蔵されている。
【０１５８】
ＣＰＵチップ３１１には、入力ポート及び出力ポートがそれぞれ設けられている。ＣＰＵチップ３１１の入力側には、主制御基板１０１に設けられた停電監視回路３１０、払出装置７８を制御する払出制御装置８２の払出制御基板３１２及びその他図示しないスイッチ群などが接続されている。この場合に、停電監視回路３１０には電源・発射制御装置８３に設けられた電源・発射制御基板３１３が接続されており、ＣＰＵチップ３１１には停電監視回路３１０を介して電力が供給される。
【０１５９】
一方、ＣＰＵチップ３１１の出力側には、停電監視回路３１０、払出制御基板３１２及び中継端子板３１５が接続されている。払出制御基板３１２には、賞球コマンドなどといった各種コマンドが出力される。中継端子板３１５を介して主制御回路３０４から音声ランプ制御装置６６に設けられた音声ランプ制御基板３２０に対して各種コマンドなどが出力される。
【０１６０】
停電監視回路３１０は、主制御回路３０４と電源・発射制御基板３１３とを中継し、また電源・発射制御基板３１３から出力される最大電圧である直流安定２４ボルトの電圧を監視する。
【０１６１】
払出制御基板３１２は、払出装置７８により賞球や貸し球の払出制御を行うものである。演算装置であるＣＰＵチップ３１４は、そのＣＰＵチップ３１４により実行される制御プログラムや固定値データ等を記憶したＲＯＭ３２３と、ワークメモリ等として使用されるＲＡＭ３２５とを備えている。
【０１６２】
払出制御基板３１２のＣＰＵチップ３１４には、入出力ポートが設けられている。ＣＰＵチップ３１４の入力側には、主制御回路３０４、電源・発射制御基板３１３、及び裏パック基板が接続されている。また、ＣＰＵチップ３１４の出力側には、主制御回路３０４及び裏パック基板が接続されている。
【０１６３】
電源・発射制御基板３１３は、電源部３３０と発射制御部３３３とを備えている。電源部３３０は、例えば、遊技場等における商用電源（外部電源）に接続されている。そして、その商用電源から供給される外部電力に基づいて主制御回路３０４や払出制御基板３１２等に対して各々に必要な動作電力を生成するとともに、その生成した動作電力を二重線矢印で示す経路を通じて主制御回路３０４や払出制御基板３１２等に対して供給する。発射制御部３３３は、遊技球発射機構５０の発射制御を担うものであり、遊技球発射機構５０は所定の発射条件が整っている場合に駆動される。
【０１６４】
音声ランプ制御基板３２０は、表示制御装置３３５を制御するものである。演算装置であるＣＰＵチップ３３８は、そのＣＰＵチップ３３８により実行される制御プログラムや固定値データ等を記憶したＲＯＭ３４０と、ワークメモリ等として使用されるＲＡＭ３４３とを備えている。
【０１６５】
音声ランプ制御基板３２０のＣＰＵチップ３３８には入出力ポートが設けられている。ＣＰＵチップ３３８の入力側には中継端子板３１５に中継されて主制御回路３０４が接続されており、主制御回路３０４から出力される各種コマンドに基づいて、表示制御装置３３５を制御する。表示制御装置３３５は、音声ランプ制御基板３２０から入力する表示コマンドに基づいて図柄表示装置４１を制御する。
【０１６６】
以上詳述した本実施の形態によれば、以下の優れた効果を奏する。
【０１６７】
破断ネジ１８０により基板ボックス１０２を取り付けた場合、破断ネジ１８０における頭部１９０が保持される構成とした。これにより、頭部１９０は所定位置又は所定範囲に留まることとなる。よって、パチンコ機１０を組み立てる場合に、頭部１９０の回収を要しないため、その組み立て作業効率を向上できる。
【０１６８】
ここで、頭部１９０が分離された後に、破断部１９５よりも軸部１９３側の領域に直接アクセスし、破断ネジ１８０を緩める方向に回転させる不正行為が考えられる。例えば、軸部１９３に接着剤を塗布し、軸部１９３と工具とを一体化させた後にその工具を操作することにより、軸部１９３を緩める方向に回転させるものが考えられる。これに対して本実施の形態によれば、表側結合部１７３によって、分離された頭部１９０が軸部１９３の軸線方向と略直交する方向に移動することが規制される。これにより、軸線方向と略直交する方向にみて、分離された頭部１９０が所定位置又は所定範囲に留まることとなる。この結果、軸部１９３の軸線が通過する部位を反軸部１９３側にて隠す位置から、分離された頭部１９０が移動することを防止できる。軸部１９３を回転させるためには、軸部１９３の軸線中心を操作する必要があるが、分離された頭部１９０により軸線中心が隠されていることにより、軸部１９３の軸線中心にアクセスされることを抑制できる。よって、破断ネジ１８０を緩める方向に回転させる不正行為が行われることを抑制できる。
【０１６９】
破断ネジ１８０を当該破断ネジ１８０の軸線と直交する方向から表側結合部１７３が覆うことにより、破断ネジ１８０の軸線方向と略直交する方向から頭部１９０や軸部１９３にアクセスされることを抑制することができる。
【０１７０】
差込側突出部２０２及び下流側突出部２０４によって、分離された頭部１９０が傾倒する範囲を規定する構成とした。ここで、頭部１９０が表側結合部１７３内にて大きく傾倒する場合、その傾倒により軸線方向と直交する方向の隙間が大きくなることが考えられる。つまり、頭部１９０を傾倒させることにより、軸部１９３の軸線方向と直交する方向の隙間が１箇所にまとめられ、軸部１９３にアクセスするための通路が確保されることが考えられる。この場合、その通路から頭部１９０を迂回して軸部１９３側にアクセスされることが考えられる。本実施の形態では、頭部１９０が傾倒する範囲を規制したことにより、上記隙間が過度に大きくなることを抑制し、その隙間から軸部１９３側の領域にアクセスされることを防止できる。
【０１７１】
破断ネジ１８０を設置する場合、差込側突出部２０２が弾性変形する構成とした。これにより、弾性変形していない状態では破断ネジ１８０が通過できないように差込側突出部２０２の突出量が設定されているとしても、差込側突出部２０２が突出した領域よりも奥側に破断ネジ１８０を差し込むことが可能となる。また、破断ネジ１８０を設置した場合には、差込側突出部２０２の復元力によって押圧されていない状態に戻り、頭部１９０が差込側突出部２０２よりも反軸部１９３側に移動することを防止できる。
【０１７２】
特に、頭部１９０が設置された場合、頭部１９０の反軸部１９３側の周縁部が差込側突出部２０２により規制される。頭部１９０の反軸部１９３側の端部は平面状を有しているため、その端部が差込側突出部２０２により規制されることにより、当該頭部１９０が軸部１９３側に移動することが規制される。つまり、頭部１９０及び差込側突出部２０２の形状によって、破断ネジ１８０の設置を可能としつつ、頭部１９０の抜けが防止される。
【０１７３】
また、差込側突出部２０２の先端部は、当該差込側突出部２０２のその他の部分よりも肉薄となった部分が設けられている。これにより、破断ネジ１８０により差込側突出部２０２が押圧された場合に、その肉薄部分を弾性変形させることができる。つまり、差込側突出部２０２を弾性変形させるために、新たな機構を設けたり、差込側突出部２０２の一部分を別材料にて形成したりする必要がなくなる。
【０１７４】
差込側突出部２０２が表側結合部１７３の内周面から等間隔にて複数箇所から突出している構成とした。仮に、表側結合部１７３の内周面の全てから差込側突出部２０２が突出している場合、小さい力にて差込側突出部２０２を弾性変形させることができなくなることが考えられる。この場合、破断ネジ１８０を設置する設置作業中に破断部１９５に意図せず大きな力が加わり、破断ネジ１８０による連結作業が終了する前に破断部１９５が破断してしまうおそれがある。これに対して差込側突出部２０２を断続的に設けたことにより、破断ネジ１８０の設置作業において破断部１９５に意図せず大きな力が加わり、連結作業が終了する前に破断部１９５が破断することを抑制できる。
【０１７５】
ここで、差込側突出部２０２が表側結合部１７３の内周面から等間隔にて複数箇所から突出しているため、個々の差込側突出部２０２の強度が弱くなり、頭部１９０が移動しようとした場合に差込側突出部２０２が破損することが考えられる。これに対して本実施の形態では、差込側突出部２０２の軸部１９３側の端面と、頭部１９０の反軸部１９３側の端面とがそれぞれ軸部１９３の軸線と略直交する方向に延びる構成とした。これにより、軸部１９３の軸線方向と同方向にて頭部１９０と差込側突出部２０２とが係合される。この結果、頭部１９０と差込側突出部２０２とが係合された場合の強度を高めることが可能となり、破断ネジ１８０が設置された後に頭部１９０が引き抜かれることを抑制する効果を高めることが可能となる。
【０１７６】
頭部１９０の反軸部１９３側の面は平面状を有している。これにより、差込側突出部２０２の軸部１９３側の端部よりも反軸部１９３側に頭部１９０が移動することが規制される。頭部１９０が当該端部より反軸部１９３側へと突出する場合、その突出した頭部１９０が摘ままれ引き抜かれることが考えられる。これに対して、頭部１９０が差込側突出部２０２の反軸部１９３側の端部から突出しないため、上記突出した頭部１９０が摘ままれ、引き抜かれる不正行為が行われることを抑制できる。
【０１７７】
連続突出部２１１は差込側突出部２０２よりも突出量が大きい構成とした。差込側突出部２０２を弾性変形させるために当該差込側突出部２０２の突出量を必要最低限なものとするのが望ましいのに対して、連続突出部２１１は十分な強度を得るために突出量を大きくすることが望ましい。仮に、連続突出部２１１の突出量が十分に確保されていない場合、破断ネジ１８０による連結作業中に連続突出部２１１が破損することが考えられる。本実施の形態では、連続突出部２１１の突出量を大きくしたことにより、連続突出部２１１の強度を十分に確保することが可能となる。
【０１７８】
差込側突出部２０２と、下流側突出部２０４（連続突出部２１１）とが、軸部１９３の軸線方向に対向しない構成とした。仮に、各突出部２０２，２０４を軸部１９３の軸線方向にて対向させようとすると、表側結合部１７３を製造する場合に、各突出部２０２，２０４を形成するための型を設置することができず、各突出部２０２，２０４の成形が困難となることが考えられる。これに対して本実施の形態によれば、各突出部２０２，２０４が軸部１９３の軸線方向に重なることがないように設けられていることにより、各突出部２０２，２０４が軸線方向に重なっている構成に比べ、各突出部２０２，２０４を形成する型を設置し易く、各突出部２０２，２０４を良好に形成することが可能となる。
【０１７９】
破断ネジ１８０の第１頭部形成部１９０ａが連続突出部２１１よりも軸部１９３側に移動することができないように第１頭部形成部１９０ａの径を設定した。つまり、差込側突出部２０２と連続突出部２１１との間に第１頭部形成部１９０ａが挟まれて保持される構成を実現する場合に第１頭部形成部１９０ａの径を決定すればよく、挟まれた頭部１９０の位置決めを容易なものとできる。
【０１８０】
差込側突出部２０２が間隔をおいて複数箇所に設けられていることにより、表側貫通孔１７５が軸線方向に貫通する構成とした。ここで、頭部１９０と軸部１９３とが分離されているとしても、樹脂や接着剤等を流し込み、頭部１９０と軸部１９３とを一体化させる不正行為が考えられる。これに対して本実施の形態によれば、表側貫通孔１７５が設けられていることにより、頭部１９０と軸部１９３を一体化させようとして樹脂や接着剤等が流し込まれたとしても、その表側貫通孔１７５からその樹脂や接着剤を流れ出させることが可能となる。この結果、樹脂や接着剤等によって頭部１９０と軸部１９３とが一体化されることを抑制できる。
【０１８１】
上記樹脂や接着剤等による不正行為を行う場合、軸部１９３の軸線が通過する部位を頭部１９０が隠しているため、頭部１９０や頭部１９０周辺の部位を樹脂や接着剤等がつたうようにして、その樹脂や接着剤等を軸部１９３に到達させようとする不正行為が想定される。この場合、樹脂や接着剤等をつたわせるために、その樹脂や接着剤は、遅乾性のものが用いられることが考えられる。これに対して本実施の形態によれば、遅乾性の樹脂や接着剤等が使用された場合、その樹脂や接着剤等が固着する前に、上記貫通孔からその樹脂や接着剤等を流れ出させることが可能となる。つまり、遅乾性の樹脂や接着剤に対して特に顕著な効果を得ることが可能となる。
【０１８２】
基板ボックス１０２を回動可能に取り付ける構成とした。これにより、基板ボックス１０２の周辺や基板ボックス１０２の隙間等に不正具が取り付けられていないかを、基板ボックス１０２を回動させ管理者が監視することが可能となる。この結果、上記隙間等に不正具が設置されたとしてもその事実を発見することが可能となる。よって、不正具が取り付けられ、遊技の内容が変更されたり、遊技球が遊技者に過度に付与されパチンコ機１０を設置する遊技ホール等に不利益が発生したりすることを防止できる。
【０１８３】
筒部１１０が回転することにより、差込軸部１０９を中心として基板ボックス１０２を回動させることが可能な構成とした。これにより、筒部１１０に差込軸部１０９を差し込む作業を行うことで、主側取付台１０５に対して基板ボックス１０２を回動可能に取り付けることが可能となる。
【０１８４】
基板ボックス１０２が回動する場合、破断ネジ１８０における先端部２００が凹部２８９に沿って移動する構成とした。これにより、差込軸部１０９に破断ネジ１８０が差し込まれているとしても、その破断ネジ１８０によって基板ボックス１０２の回動が阻害されることを抑制できる。
【０１８５】
破断ネジ１８０における先端部２００にはネジ溝を設けない構成とした。凹部２８９に入り込む位置にネジ溝が形成されていると、凹部２８９に挿し込まれた場合に凹部２８９の内周面とネジ溝とが接触ことで、凹部２８９が変形したり、上記回動が阻害されたりする可能性がある。この点、本実施の形態ではネジ溝と凹部２８９とが接触しにくい。このため、上記回動が阻害されることを抑制できる。
【０１８６】
表側構成体１１１の表側筒形成部２３０と裏側構成体１１２の裏側筒形成部２３３とによって、筒部１１０を形成した。また、各筒形成部２３０，２３３の境界部と、差込軸部１０９と、がスライド方向にて一直線上に位置する構成とした。つまり、スライド方向に対して差込軸部１０９が上記境界部を隠している。これにより、差込軸部１０９と筒部１１０とが係合された状態では、表側構成体１１１と裏側構成体１１２の一方のみをずらすことができず、差込軸部１０９が筒部１１０に差し込まれた状態にて基板ボックス１０２が開放されることを防止できる。この結果、基板ボックス１０２が主側取付台１０５に固定された状態のまま上記ＣＰＵチップ３１１を取り替える不正行為が行われることを防止できる。
【０１８７】
表側筒形成部２３０と、裏側筒形成部２３３とを、それぞれ各構成体１１１，１１２に一体形成するものとした。これにより、筒部１１０が基板ボックス１０２から切断された場合にその痕跡が残り易く、基板ボックス１０２が主側取付台１０５から不正に取り外されたことを発見することが可能となる。つまり、筒部１１０を切断した場合には筒部１１０周辺につなぎ目が生じ、そのつなぎ目を発見することにより、不正行為が行われたことを発見することができる。
【０１８８】
基板ボックス１０２を開放させる場合、表側構成体１１１及び裏側構成体１１２のうち一方のものを長辺方向にスライド移動させる構成とした。これにより、短辺方向にスライド移動させ、基板ボックス１０２を開放する構成に比べ、基板ボックス１０２を開放させるために、各構成体１１１，１１２をスライド移動させる移動量を大きくすることが可能となる。
【０１８９】
筒部１１０を基板ボックス１０２の短辺と連続するようにして設ける構成とした。これにより、筒部１１０を形成するために、基板ボックス１０２を開放させるための各構成体１１１，１１２のスライド量が小さくなることを抑制できる。
【０１９０】
基板ボックス１０２が表側構成体１１１と裏側構成体１１２とによって構成されていることにより、一方の構成体を浮き上がらせる等、各構成体１１１，１１２の間に隙間を形成し、その隙間から基板ボックス１０２内部にアクセスされる可能性がある。この点、本実施の形態では、レール１１９及びレール差込部１２０がスライド方向の長辺に設けられており、スライド方向の奥側に収容部１２３が設けられており、さらに、収容部１２３の反対側がネジ固定されている。このため、基板ボックス１０２のほぼ全周にて各構成体１１１，１１２の移動を規制することができる。以上の結果、各構成体１１１，１１２が浮き上がらされて、隙間が形成されることを抑制できる。
【０１９１】
ここで、各構成体１１１，１１２が歪まされ、表側構成体１１１が若干スライド移動されることが考えられる。この場合、表側構成体１１１を若干スライド移動させ各構成体１１１，１１２を分離させようとする不正行為が考えられる。この点、収容部１２３が表側構成体１１１を覆うことにより、各構成体１１１，１１２が歪まされたとしても、収容部１２３が覆っている範囲以上に表側構成体１１１がスライド移動されない限り、各構成体１１１，１１２が分離されることを抑制できる。つまり、各構成体１１１，１１２が歪まされる不正行為に対する抑制効果を得ることが可能となる。
【０１９２】
スライド方向の奥側に収容部１２３が設けられていることにより、表側構成体１１１をスライド移動させれば、そのまま収容部１２３に収容される。つまり、各構成体１１１，１１２を組み付ける作業と、各構成体１１１，１１２の移動を規制する作業と、を一連の流れとして行うことが可能となる。これにより、各構成体１１１，１１２の浮き上がりを抑制する上で、基板ボックス１０２の組み付け作業が複雑化することを抑制できる。また、レール１１９、レール差込部１２０及び収容部１２３により各構成体１１１，１１２の移動を規制することにより、各構成体１１１，１１２の移動を規制する上でネジ等の使用数を少なくすることも可能となる。
【０１９３】
収容部１２３が設けられている側とは反対側にて破断ネジ１８０により各構成体１１１，１１２が分離することがないように取り付けられている。これにより、スライド方向の手前側と奥側との両端部にて各構成体１１１，１１２の浮き上がりを抑制できる。基板ボックス１０２の内部にアクセスする場合、基板ボックス１０２の端部からアクセスされる可能性がある。この点、本実施の形態では基板ボックス１０２の端部にて各構成体１１１，１１２の浮き上がりを規制することにより、基板ボックス１０２の端部から基板ボックス１０２内部にアクセスされる不正行為を抑制できる。
【０１９４】
表側構成体１１１における対向側閉鎖壁部１３５と裏側構成体１１２における閉鎖壁部１３０とがスライド方向奥側にて当接している。各壁部１３０，１３５が当接することにより、その当接した箇所にて各構成体１１１，１１２を移動させにくくできる。また、基板ボックス１０２を組み立てる場合、対向側閉鎖壁部１３５に当接するまで表側構成体１１１をスライド移動させればよく、各構成体１１１，１１２の移動を規制しつつ、基板ボックス１０２の組み立て作業を簡易化できる。
【０１９５】
収容部１２３における側壁部１２５及び覆壁部１２７により、表側構成体１１１が周方向から覆われている。この結果、収容部１２３に表側構成体１１１が収容された状態にて、表側構成体１１１が当該表側構成体１１１の周方向に移動することを抑制できる。
【０１９６】
側壁部１２５、覆壁部１２７及び閉鎖壁部１３０が一体形成されている。つまり、収容部１２３が箱状に形成されており、収容部１２３が歪まされることを抑制できる。
【０１９７】
収容部１２３と表側構成体１１１との境界部から基板ボックス１０２内に不正具を侵入させようとする不正行為が考えられる。この点、本実施の形態ではその境界部から不正具が侵入された場合、対向側延出壁部１３４にその不正具が到達する。不正具が対向側延出壁部１３４に到達した場合、その対向側延出壁部１３４が不正具の侵入を抑制する返し部として機能することが期待される。これにより、それ以上内部に不正具が侵入されにくくことができる。この結果、上記境界部から基板ボックス１０２内部にアクセスされることを抑制できる。
【０１９８】
＜他の実施の形態＞
なお、上述した実施の形態の記載内容に限定されず、例えば次のように実施してもよい。ちなみに、以下の各構成を個別に上記実施の形態に対して適用してもよく、一部又は全部を組み合わせて上記実施の形態に対して適用してもよい。
【０１９９】
（１）破断ネジ１８０が固定する固定対象（部材）を変更してもよい。例えば、裏パックユニット１５を取り付ける場合に破断ネジ１８０を用いてもよい。すなわち、取り外し操作の防止が必要な他の部位を上記破断ネジ１８０にて固定してもよい。
【０２００】
破断ネジ１８０における破断部１９５を分離させる場合の操作を変更してもよい。例えば、頭部１９０側から軸部１９３側に向けて圧力が加えられる場合（押圧された場合）に破断部１９５が切断されるものが考えられる。つまり、破断部１９５は、予め定められた分離操作が行われた場合に分離するものであればよい。
【０２０１】
（２）基板ボックス１０２の取付に用いる破断ネジ１８０の数を変更してもよく、１本の破断ネジ１８０によって取り付けられていてもよいし、２本、３本又はそれ以上の本数の破断ネジ１８０によって基板ボックス１０２が取り付けられていてもよい。
【０２０２】
（３）分離された頭部１９０が表側結合部１７３（筒側結合部２８３）内にて傾く範囲を変更してもよい。例えば、頭部１９０が所定角度以上に傾倒した場合、軸部１９３が差込側突出部２０２側に露出するようにしてもよい。
【０２０３】
（４）頭部１９０は円形状をなしているものであったが、円錐状や角形状をなしていてもよい。また、表側結合部１７３（筒側結合部２８３）が角筒状をなしていてもよい。
【０２０４】
（５）頭部１９０は、分離後及び分離前において常に差込側突出部２０２（筒差込側突出部２８５ａ）よりも下流側突出部２０４（筒下流側突出部２８５ｂ）側に位置するものとしたが、かかる構成に限定されない。例えば、頭部１９０が傾倒した場合や差込側突出部２０２側に移動した場合に、頭部１９０の一部が差込側突出部２０２の軸部１９３側の端面よりも反軸部１９３側に移動するようにしてもよい。
【０２０５】
（６）差込側突出部２０２（筒差込側突出部２８５ａ）は、表側結合部１７３（筒側結合部２８３）の内部にて４箇所から突出するものとしたが、差込側突出部２０２が設けられている数を変更してもよい。例えば、差込側突出部２０２が１箇所のみ設けられているものが考えられるし、２箇所、３箇所、５箇所以上設けられているものが考えられる。
【０２０６】
（７）表側結合部１７３（筒側結合部２８３）の内部にて複数の差込側突出部２０２（筒差込側突出部２８５ａ）が対をなすように対向して設けられているものとしたが、差込側突出部２０２が対向していなくともよい。この場合、差込側突出部２０２と表側結合部１７３（又は筒側結合部２８３）の内周面との隙間を頭部１９０が通過できない大きさとすればよい。
【０２０７】
（８）差込側突出部２０２（筒差込側突出部２８５ａ）の突出量を変更してもよい。例えば、対向する差込側突出部２０２が接するように、差込側突出部２０２の突出量を大きくしてもよい。この場合、差込側突出部２０２の弾性変形に伴い、破断ネジ１８０を通過させる隙間領域が形成されるとともに、差込側突出部２０２の弾性変形が解除された場合には、その隙間領域がなくなる。弾性変形が解除された場合にその隙間領域がなくなることにより、分離された頭部１９０が差込側突出部２０２よりも反軸部１９３側に移動することを確実に防止できる。また、本構成においては、差込側突出部２０２によって軸部１９３の軸線が通過する部位を反軸部１９３側から隠すことが可能となる。
【０２０８】
（９）差込側突出部２０２（筒差込側突出部２８５ａ）は、肉薄部分が設けられていることにより弾性変形するものとしたが、破断ネジ１８０に押圧された場合に差込側突出部２０２が変位できれば、かかる構成に限定されない。例えば、差込側突出部２０２に板バネ等の付勢手段を設置し、差込側突出部２０２の基端側が回動可能に設けられているものが考えられる。具体的には、破断ネジ１８０の差込方向に押圧されていない状態では、表側結合部１７３（筒側結合部２８３）の開口を塞ぐ方向に付勢しておく。そして、差込側突出部２０２を、表側結合部１７３の開口を塞いだ状態から表側結合部１７３の内側に回動可能にしておく。本構成によれば、破断ネジ１８０によって差込側突出部２０２が押圧された場合には、差込側突出部２０２が回動し破断ネジ１８０を設置できるとともに、その押圧が解除された場合には付勢手段によって表側結合部１７３の開口を塞ぐ位置に差込側突出部２０２を戻すことが可能となる。
【０２０９】
（１０）頭部１９０の反軸部１９３側の端面と、差込側突出部２０２（筒差込側突出部２８５ａ）の軸部１９３側の端面とのそれぞれが、軸部１９３の軸線方向と略直交する方向に延びるものとしたが、かかる構成に限定されない。例えば、差込側突出部２０２の軸部１９３側の端面から頭部１９０に向けて、頭部１９０が反軸部１９３側に移動することを規制する規制突部が延びるものが考えられる。本構成においては、規制突部によって頭部１９０の位置決めを行うため、頭部１９０の反軸部１９３側の面形状や、差込側突出部２０２の軸部１９３側の面形状を比較的自由に設定することが可能となる。
【０２１０】
（１１）破断部１９５が破断した状態において、頭部１９０側の領域の軸部１９３の軸線方向と直交する方向への移動可能な範囲を、表側結合部１７３（筒側結合部２８３）の内周面にて規定するものとしたが、かかる構成に限定されない。頭部１９０側の領域の軸線方向と直交する方向への移動範囲を、連続突出部２１１によって規定するようにしてもよい。この場合、連続突出部２１１の突出量を大きくするか、第２頭部形成部１９０ｂを拡径すればよい。
【０２１１】
（１２）基板ボックス１０２を回動可能に主側取付台１０５に取り付ける構成とすることで、基板ボックス１０２と主側取付台１０５等との隙間への不正具の設置を発見することができるという顕著な効果に着目した場合、当該構成を必須とすればよく、表側構成体１１１及び裏側構成体１１２のうち一方が主側取付台１０５に回動可能に取り付けられていればよい。つまり、筒部１１０における各構成体１１１，１１２の境界部に跨るようにして差込軸部１０９が差し込まれていなくともよい。
【０２１２】
また、各構成体１１１，１１２を主側取付台１０５に取り付ける場合、破断ネジ１８０に代えてワンウェイネジやワンウェイクラッチ等を用いることも可能である。
【０２１３】
（１３）差込軸部１０９にその周方向に延びる凹部２８９が設けられており、破断ネジ１８０の先端部２００が凹部２８９に沿って移動することにより、基板ボックス１０２を回動可能とするものとしたが、かかる構成に限定されない。例えば、筒部１１０に周方向に延びる凹部又は孔部が設けられているものが考えられる。具体的には、差込軸部１０９を破断ネジ１８０が貫通するようにして差し込まれるようになっており、破断ネジ１８０の先端部２００が筒部１１０に到達するようにすればよい。そして、筒部１１０において、筒側結合部２８３の反対側の位置に周方向に延びる凹部又は孔部を形成しておく。本構成においては、筒側結合部２８３側から差し込まれた破断ネジ１８０が、差込軸部１０９を貫通し、かつ、表側結合部１７３の反対側に位置する凹部又は孔部に到達する。
【０２１４】
また、破断ネジ１８０における軸部１９３が凹部２８９に入り込むようにしてもよい。この場合、先端部２００が設けられておらず、軸部１９３が破断ネジ１８０の先端まで延びていてもよい。
【０２１５】
（１４）回動始点面２９６及び回動終点面２９７によって規定される基板ボックス１０２の回動可能な範囲を変更してもよい。例えば、基板ボックス１０２が約９０度の範囲において回動可能なものが考えられる。この場合、回動終点面２９７の設けられている位置を変更するように凹部２８９が凹んでいる範囲を変更すればよい。
【０２１６】
（１５）表側構成体１１１のレール差込部１２０を裏側構成体１１２のレール１１９に差し込む場合のスライド方向と、差込軸部１０９に筒部１１０を差し込む差込方向と、を略直交させるものとしたが、かかる構成に限定されない。つまり、各方向を変更してもよく、各方向が同方向となっているものや、各方向が反対方向となっているものが考えられる。
【０２１７】
（１６）レール１１９とレール差込部１２０とのそれぞれは、表側構成体１１１及び裏側構成体１１２の長辺に沿うようにして設けられているものとしたが、かかる構成に限定されない。レール１１９とレール差込部１２０とのそれぞれが表側構成体１１１及び裏側構成体１１２の短辺方向に沿うようにして設けられていてもよい。本構成においては、筒部１１０（表側筒形成部２３０、裏側筒形成部２３３）を表側構成体１１１及び裏側構成体１１２の長辺方向に沿うようにして設けるとよい。この場合においても、レール１１９及びレール差込部１２０と、表側筒形成部２３０及び裏側筒形成部２３３と、が設けられている辺が異なることにより、基板ボックス１０２を製造する場合に、レール１１９及びレール差込部１２０と、表側筒形成部２３０及び裏側筒形成部２３３とのうち、一方のものを形成するために他方のものが形成しにくくなることを抑制できる。
【０２１８】
（１７）主側取付台１０５側に差込軸部１０９が形成されているものであり、基板ボックス１０２側に筒部１１０が形成されているものとしたが、主側取付台１０５に筒部１１０が設けられており、基板ボックス１０２側に差込軸部が設けられているようにしてもよい。つまり、主側取付台１０５に筒部が一体形成されており、表側筒形成部２３０及び裏側筒形成部２３３に代えて、基板ボックス１０２に表側軸形成部及び裏側軸形成部が形成されていてもよい。本構成においては、表側構成体１１１と裏側構成体１１２とが組み合わされることにより、差込軸部が形成される。表側構成体１１１と裏側構成体１１２との境界部が差込軸部に生じることとなり、その境界部が筒部によって覆われることとなる。境界部を筒部によって覆うことにより、表側構成体１１１と裏側構成体１１２との境界部から基板ボックス１０２の内部にアクセスする不正行為が行われることを抑制する効果を高めることが可能となる。
【０２１９】
（１８）表側構成体１１１にレール差込部１２０が設けられており、裏側構成体１１２にレール１１９が設けられているものとしたが、表側構成体１１１にレール１１９が設けられており、裏側構成体１１２にレール差込部１２０が設けられているようにしてもよい。
【０２２０】
（１９）表側構成体１１１に対向部１３３が設けられており、裏側構成体１１２に収容部１２３が設けられているものとしたが、表側構成体１１１に収容部１２３が設けられており、裏側構成体１１２に対向部１３３が設けられているようにしてもよい。
【０２２１】
（２０）表側周縁部１１３と前後対向壁部１３６とによって表側周縁部１１３に段差面１１３ａが形成されていなくともよい。つまり、表側周縁部１１３における反裏側壁部１１６側の端部から前後対向壁部１３６が延びていてもよい。
【０２２２】
また、収容部１２３に表側構成体１１１が収容された状態にて表側周縁部１１３及び収容部１２３の正面側の端面が面一となっておらず、段差が形成されていてもよい。
【０２２３】
（２１）収容部１２３は角部を有した箱状をなしていたが、収容部１２３の形状を変更してもよい。例えば、収容部１２３が球状をなしているものが考えられる。つまり、収容部１２３の形状は任意である。収容部１２３の形状を変更する場合、収容部１２３に収容された場合に隙間がない又はほとんどないように対向部１３３の形状を変更すればよい。
【０２２４】
（２２）対向部１３３に対向側閉鎖壁部１３５が設けられていなくともよい。本構成においても、収容部１２３及び対向部１３３が設けられている部位においては、表側構成体１１１及び裏側構成体１１２が歪まされることを抑制できる。つまり、対向部１３３は、少なくとも一方向において収容部１２３と対向していればよい。
【０２２５】
（２３）基板ボックス１０２が主側取付台１０５に取り付けられた状態にて表側構成体１１１と裏側構成体１１２とを分離不能にするという顕著な効果に着目した場合、当該構成を必須とすればよく、主側取付台１０５に対して基板ボックス１０２が回動可能となっていなくともよい。
【０２２６】
（２４）差込軸部１０９、筒部１１０、破断ネジ１８０及び筒側結合部２８３によって、基板ボックス１０２が、回動可能にかつ離脱困難な状態にて取り付けられる構成をその他の部位に適用してもよい。例えば、音声ランプ制御装置６６、払出制御装置８２及び表示制御装置３３５のうち、少なくとも一の制御装置に本構成を適用してもよい。
【０２２７】
また、表側構成体１１１が裏側構成体１１２に差し込まれることにより、表側構成体１１１の少なくとも一部が裏側構成体１１２に収容される構成をその他の部位に適用してもよい。例えば、音声ランプ制御装置６６、払出制御装置８２及び表示制御装置３３５のうち、少なくとも一の制御装置に本構成を適用してもよい。
【０２２８】
また、表側構成体１１１と裏側構成体１１２とが組み合わされることにより筒部１１０が形成され、その筒部１１０が差込軸部１０９に差し込まれる構成をその他の部位に適用してもよい。例えば、音声ランプ制御装置６６、払出制御装置８２及び表示制御装置３３５のうち、少なくとも一の制御装置に本構成を適用してもよい。
【０２２９】
上記構成のいずれかをその他の制御装置に適用することにより、その他の制御装置に対する不正行為を抑制することができる。つまり、本明細書において記載した不正行為を抑制する特徴的な構成をいずれの箇所に適用してもよい。
【０２３０】
（２５）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０２３１】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過する等の所定条件が成立することでリールが停止した後に、表示部から視認できる有効ライン上に特定図柄又は特定図柄の組み合わせが成立していた場合にはメダルの払い出し等といった特典を遊技者に付与するスロットマシンにも本発明を適用できる。
【０２３２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０２３３】
つまり、制御装置を備え、当該制御装置による制御が実行される遊技機に本発明を適用できる。
【０２３４】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２３５】
特徴Ａ１．遊技機構成部材である第１部材（表側構成体１１１）と第２部材（裏側構成体１１２）とがネジ部材により連結されてなる遊技機であって、
前記ネジ部材は、
前記第１部材又は第２部材の少なくとも一方に対してネジ結合されるネジ溝を含む軸部（軸部１９３）と、
その軸部を回転操作する工具が係合される工具係合部を含む頭部（頭部１９０）と、
これら軸部及び頭部を連結するとともに、予め定められた分離操作が行われることにより前記軸部から前記頭部を分離させる分離部（破断部１９５）と、
を備えており、
前記分離部によって前記軸部から前記頭部が分離された場合、当該頭部が反軸部側へ移動することを規制する第１規制部（差込側突出部２０２）と、
前記分離部によって前記軸部から前記頭部が分離された場合、当該頭部が前記軸部側へ移動することを規制する第２規制部（連続突出部２１１）と、
前記軸部の軸線中心が通過する部位を前記分離部よりも反軸部側から隠すように、分離された前記頭部が前記軸部の軸線方向と略直交する方向に移動することを規制する第３規制部（表側結合部１７３）と、
を備えていることを特徴とする遊技機。
【０２３６】
特徴Ａ１によれば、ネジ部材における軸部にて第１部材及び第２部材を連結することができる。第１及び第２部材を連結させた後には、分離操作を行うことにより、軸部と頭部とを分離させることができる。頭部と軸部とが分離することにより、頭部を介して軸部を回転させることが困難となり、第１及び第２部材の連結が不正に解除されることを抑制できる。
【０２３７】
また、分離された頭部が保持される。仮に、分離された頭部が保持されない遊技機においては、頭部と軸部とを分離させた場合、頭部を回収する必要性が考えられる。この場合、ネジ部材をネジ込んだ後に分離した頭部の回収作業が煩雑となって組み立て作業効率が低下するおそれがある。分離された頭部を回収しきれなかった場合、その頭部が遊技球等の遊技媒体の通路に残存して円滑な遊技媒体の流通を阻害したり、頭部が電気部品に干渉してショートしたりする等、不具合や故障の要因ともなり得ると考えられる。これに対して本特徴によれば、ネジ部材における頭部が分離した場合には、その頭部が保持される。これにより、頭部は所定位置又は所定範囲に留まることとなり、上記不都合が発生することを抑制できる。よって、頭部が分離されるネジ部材を用いた遊技機を組み立てる場合に、頭部の回収を要しないため、その組み立て作業効率を向上し得るとともに、分離された頭部による不具合を低減させることができる。
【０２３８】
また、頭部が分離した後に、分離部より軸部側の領域に直接アクセスし、ネジ部材を緩める方向に回転させる不正行為が考えられる。例えば、軸部に接着剤を塗布し、軸部と工具とを一体化させた後にその工具を操作することにより、軸部を緩める方向に回転させるものが考えられる。これに対して本特徴によれば、第３規制部によって、分離された頭部が軸線方向と略直交する方向に移動することが規制される。これにより、軸線方向と略直交する方向にみて、分離された頭部が所定位置又は所定範囲に留まることとなる。この結果、軸部の軸線が通過する部位を反軸部側にて隠す位置から分離された頭部が移動してしまうことを抑制できる。軸部を回転させるためには、軸部の軸線中心を操作する必要があるが、分離された頭部により軸線中心が隠されていることにより、軸部の軸線中心にアクセスされることを抑制できる。よって、上記ネジ部材を緩める方向に回転させる不正行為が行われることを抑制できる。
【０２３９】
なお、「予め定められた分離操作」として、例えば工具係合部に所定トルク以上の回転力を加えるものが考えられる。この場合、第１部材及び第２部材の連結作業と、頭部及び軸部の分離作業と、を一連の流れとして行うことが可能となる。
【０２４０】
特徴Ａ２．前記頭部は、分離された場合に当該頭部と前記軸部とが同一軸線上に位置するように保持されていることを特徴とする特徴Ａ１に記載の遊技機。
【０２４１】
特徴Ａ２によれば、分離された頭部と軸部とが同一軸線上に位置する。頭部は軸部よりも大径のものが一般的であり、分離された頭部と軸部とが同一軸線上に位置することにより、分離された頭部にて軸部全体を反軸部側から遮蔽することが可能となる。
【０２４２】
特徴Ａ３．前記第３規制部は、前記頭部の前記軸線方向に沿った外周側を覆うものであり、
前記軸線方向と略直交する方向における前記第３規制部の内周側と前記頭部の外周側とによって形成される隙間が、当該隙間内にて分離された前記頭部がいずれの方向に移動したとしても、前記軸部側の軸線中心が通過する部分を前記分離部の反軸部側から隠すように設けられていることを特徴とする特徴Ａ１又はＡ２に記載の遊技機。
【０２４３】
特徴Ａ３によれば、第３規制部の内周側と頭部の外周側との隙間の大きさを設定することにより、分離された頭部がどのように移動したとしても、軸部の軸線中心が通過する部位を分離部の反軸部側から隠す具体的構成を得ることができる。特に、分離された頭部の位置を隙間によって規定したため、分離部が分離した場合に分離された頭部の位置を規定する機構を別途設ける必要がなくなる。
【０２４４】
特徴Ａ４．前記第３規制部は、前記頭部の前記軸線方向に沿った外周側を覆うものであり、
前記第１規制部は、分離された前記頭部が前記第３規制部によって覆われた領域の内部から外部へと移動することを規制するものであり、
分離された前記頭部が、前記軸線に対して所定角度以上傾くことがないように、前記第１規制部と第２規制部との間隔が設定されていることを特徴とする特徴Ａ１乃至Ａ３のいずれか１に記載の遊技機。
【０２４５】
特徴Ａ４によれば、第３規制部が頭部の外周側を覆うことにより、軸線方向と略直交する方向から頭部や軸部にアクセスされることを抑制することができる。また、第１規制部によって第３規制部に覆われた領域に頭部を留めることが可能となる。しかしながら、その領域内にて頭部が傾倒する場合、その傾倒により軸線方向と直交する方向の頭部と第３規制部との隙間が大きくなることが考えられる。つまり、頭部を傾倒させることにより、軸部の軸線方向と直交する方向の隙間が１箇所にまとめられ、軸部にアクセスするための通路が確保されることが考えられる。この場合、その通路から頭部を迂回して軸部側にアクセスされることが考えられる。これに対して本特徴によれば、第１規制部と第２規制部との間隔によって頭部が所定角度以上傾くことが抑制される。これにより、上記隙間が過度に大きくなることを抑制し、その隙間から軸部側の領域にアクセスされることを抑制することが可能となる。
【０２４６】
特徴Ａ５．前記第３規制部は、前記頭部の前記軸線方向に沿った外周側を覆う筒部であり、
前記第１規制部及び前記第２規制部は、前記筒部内の内周面から前記軸線中心に向かって突出する突出部であることを特徴とする特徴Ａ１乃至Ａ４のいずれか１に記載の遊技機。
【０２４７】
特徴Ａ５によれば、第３規制部が頭部の外周側を覆うことにより、軸線方向と略直交する方向から頭部や軸部にアクセスされることを抑制することができる。また、第１規制部及び第２規制部は、筒部内に設けられた突出部である。これにより、分離された頭部の位置を規制する構成を得る上で、新たな機構を別途設ける必要がなくなり、遊技機の部品点数が増加することを抑制できる。
【０２４８】
特徴Ａ６．前記第１規制部は、内周側の端部が自由端となるように突出しており、前記ネジ部材が差し込まれる場合、前記頭部に押圧され弾性変形することを特徴とする特徴Ａ５に記載の遊技機。
【０２４９】
特徴Ａ６によれば、第１規制部により頭部が反軸部側に移動することを規制するため、第１規制部はネジ部材が通過できないように突出する必要性が考えられる。しかしながら、第１規制部が設けられていることによりネジ部材を通過させることができず、ネジ部材を良好に設置できなくなることが考えられる。これに対して本特徴によれば、第１規制部の内周側の端部が自由端となっており、第１規制部が弾性変形可能となっている。これにより、頭部によって押圧することにより第１規制部を弾性変形させ、ネジ部材を設置することができる。また、ネジ部材を設置した場合には、第１規制部の復元力によって第１規制部が押圧されていない状態に戻り、頭部が第１規制部よりも反軸部側に移動することができないようにすることが可能となる。
【０２５０】
特徴Ａ７．前記第１規制部は、前記筒部の内周面に断続的に設けられていることを特徴とする特徴Ａ６に記載の遊技機。
【０２５１】
特徴Ａ７によれば、第１規制部が筒部の内周面に断続的に設けられている。仮に、筒部の内周面の全てに第１規制部が設けられている場合、小さい力にて第１規制部を弾性変形させることができなくなることが考えられる。この場合、ネジ部材を設置する設置作業中に分離部に意図せず大きな力が加わり、ネジ部材による連結作業が終了する前に分離部が分離してしまうおそれがある。これに対して本特徴によれば、ネジ部材の設置作業において分離部に意図せず大きな力が加わり、連結作業が終了する前に分離部が分離することを抑制できる。
【０２５２】
特徴Ａ８．前記第１規制部は、前記軸部の軸線方向にみて、当該第１規制部のその他の部分よりも肉薄となった部分が設けられていることを特徴とする特徴Ａ６又はＡ７に記載の遊技機。
【０２５３】
特徴Ａ８によれば、第１規制部には軸部の軸線方向にみて、当該第１規制部のその他の部分よりも肉薄となった部分が設けられている。これにより、ネジ部材を設置するために、ネジ部材により第１規制部が押圧された場合に、その肉薄部分が弾性変形することにより、ネジ部材を設置することが可能となる。本特徴によれば、第１規制部を弾性変形させるために、新たな機構を設けたり、第１規制部の一部分を別材料にて形成したりする必要がなくなる。この結果、第１規制部を弾性変形させるために、遊技機を組み立てる際の部品点数が増加することを抑制できる。
【０２５４】
特徴Ａ９．前記第２規制部は、前記第１規制部よりも前記軸部側に設けられており、
前記第２規制部は、前記第１規制部よりも内周側への突出量が大きいことを特徴とする特徴Ａ６乃至Ａ８のいずれか１に記載の遊技機。
【０２５５】
特徴Ａ９によれば、第２規制部は第１規制部よりも突出量が大きい。第１規制部は弾性変形させるために突出量を必要最低限なものとするのが望ましいのに対して、第２規制部は十分な強度を得るために突出量を十分確保することが望ましい。仮に、第２規制部の突出量が十分に確保されていない場合、第１部材と第２部材との連結作業中に第２規制部が破損することが考えられる。これに対して本特徴によれば、第２規制部の突出量を大きくしたことにより、第２規制部の強度を十分に確保することが可能となる。
【０２５６】
特徴Ａ１０．前記第１規制部及び前記第２規制部のそれぞれは、前記軸部の軸線方向にて対向することがないように前記筒部の内周に断続的に設けられていることを特徴とする特徴Ａ５乃至Ａ９のいずれか１に記載の遊技機。
【０２５７】
特徴Ａ１０によれば、第１規制部と第２規制部とが軸部の軸線方向にて対向していない。仮に、筒部の軸線方向に各規制部が重なっていると、各規制部を製造する場合に、各規制部を型整形させるための型（治具等）を設置することができず、各規制部の成形が困難なものとなる不都合が発生することが考えられる。これに対して本特徴によれば、各規制部が軸線方向に重なることがないように断続的に設けられていることにより、各規制部が軸線方向に重なっている構成に比べ、上記不都合が発生することを抑制し、各規制部を良好に製造することが可能となる。つまり、各規制部を含む筒部を製造するに際して、型整形による型抜きが可能となって、型による樹脂一体成形が可能となる。
【０２５８】
特徴Ａ１１．前記頭部の少なくとも一部には前記ネジ部材のその他の部位よりも大径に形成された大径部が設けられており、
前記第２規制部の内周部は、前記ネジ部材の前記大径部よりも軸部側を挿通可能な大きさ、かつ前記大径部を挿通不可能な大きさに形成されていることを特徴とする特徴Ａ５乃至Ａ１０のいずれか１に記載の遊技機。
【０２５９】
特徴Ａ１１によれば、ネジ部材の大径部が通過不可能に、かつネジ部材の大径部よりも軸部側が通過可能に、第２規制部の内周部が設けられている。第２規制部の内周部がネジ部材の大径部よりも軸部側を挿通可能であることから、第１規制部及び第２規制部より軸線方向に挟み込む部分を頭部の大径部のみとすることができ、挟み込みによる頭部の位置決めが容易となる。
【０２６０】
特徴Ａ１２．前記筒部の内部に少なくとも一部が位置するとともに、前記軸部が差し込まれる差込孔を有した差込部（通し部２０６）を有し、
前記差込部の外周面と前記筒部の内周面との間に隙間が形成されていることを特徴とする特徴Ａ５乃至Ａ１１のいずれか１に記載の遊技機。
【０２６１】
例えば、頭部と軸部とが分離されているとしても、樹脂や接着剤等を流し込み頭部と軸部とを一体化させる不正行為が考えられる。これに対して本特徴によれば、筒部の内部に軸部が差し込まれる差込部が形成されている。そして、筒部の内周面と差込部の外周面との間に隙間が設けられている。これにより、頭部と軸部を一体化させようとして樹脂や接着剤等が流し込まれたとしても、差込部と筒部との間の隙間からその樹脂や接着剤を流れ出させることが可能となる。この結果、樹脂や接着剤等によって頭部と軸部とが一体化されることを抑制できる。
【０２６２】
また、上記樹脂や接着剤等による不正行為を行う場合、軸部の軸線が通過する部位を頭部が隠しているため、頭部や頭部周辺の部位を樹脂や接着剤等がつたうようにして、その樹脂や接着剤等を軸部に到達させようとする不正行為が想定される。この場合、樹脂や接着剤等をつたわせるために、その樹脂や接着剤は、遅乾性のものが用いられることが考えられる。これに対して本特徴によれば、遅乾性の樹脂や接着剤等が使用された場合、その樹脂や接着剤等が固着する前に、筒部と差込部との隙間からその樹脂や接着剤等を流れ出させることが可能となる。つまり、本特徴を適用した場合、遅乾性の樹脂や接着剤に対して特に顕著な効果を得ることが可能となる。
【０２６３】
特徴Ａ１３．前記第２規制部は、前記筒部の内周面から断続して突出しているものであり、その少なくとも一部が前記差込部の前記頭部側の端部よりもさらに前記頭部側に位置しているとともに、前記筒部と差込部とを連結していることを特徴とする特徴Ａ１２に記載の遊技機。
【０２６４】
特徴Ａ１３によれば、第２規制部が差込部の頭部側の端部よりも、さらに頭部側に少なくとも一部が位置しており、それ以上差込部側に分離された頭部が移動することを規制できる。さらに、第２規制部が断続的に突出しており、筒部と差込部とを連結している。これにより、筒部と差込部との間に隙間が形成されるように、筒部の内部に差込部を設けることが可能となる。つまり、本特徴によれば、第２規制部の形状によって、分離された頭部の移動（軸部側への移動）を規制する効果と、上記樹脂や接着剤等による不正行為を抑制する効果と、を得ることが可能となる。
【０２６５】
特徴Ａ１４．前記頭部の反軸部側の端部は、平面状に形成されており、
前記第１規制部は、その端部の周縁部を規制するものであることを特徴とする特徴Ａ１乃至Ａ１３のいずれか１に記載の遊技機。
【０２６６】
特徴Ａ１４によれば、頭部の反軸部側の周縁部が第１規制部により規制される。また、頭部の反軸部側の端部は平面状を有しているため、その端部が第１規制部により規制されることにより、当該頭部が第１規制部の反軸部側の端部よりも反軸部側に突出することが規制される。頭部が当該端部より反軸部側へと突出する場合、その突出した頭部が摘ままれ引き抜かれることが考えられる。これに対して本特徴によれば、頭部が第１規制部の反軸部側の端部から突出しないため、上記突出した頭部が摘ままれ、引き抜かれる不正行為が行われることを抑制できる。
【０２６７】
また、特徴Ａ７や特徴Ａ１０のように第１規制部が断続的に設けられた構成においては、第１規制部の強度が他の部位に比べ低くなり、分離された頭部が引き抜かれることが考えられる。これに対して本特徴を適用すれば、第１規制部が頭部の周縁部を規制することにより、第１規制部の強度が他の部位に比べ低くなった構成において、第１規制部によって分離された頭部の位置を良好に規制することができる。
【０２６８】
特徴Ａ１５．前記第１規制部の軸部側の端部は、前記頭部の前記第１規制部側の端部と略平行に延びていることを特徴とする特徴Ａ１４に記載の遊技機。
【０２６９】
特徴Ａ１５によれば、第１規制部の軸部側の端部が、頭部の第１規制部側の端部と略平行に延びている。これにより、軸部の軸線方向と同方向にて頭部と第１規制部とが係合される。この結果、頭部と第１規制部とが係合された場合の強度を高めることが可能となり、ネジ部材が設置された後に頭部が引き抜かれることを抑制する効果を高めることが可能となる。
【０２７０】
上記特徴Ａ群の各発明は、以下の課題に対して効果的である。
【０２７１】
遊技機としては、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０２７２】
この種の遊技機においては、不正な利益を得ることを目的として、例えば、制御基板を不正に取り外して当該基板内のＲＯＭ（ＣＰＵやＲＯＭが１チップ化されている場合は当該チップ）を交換して遊技内容を変更したり、リード線等により外部から不正な電気信号を制御基板に入力させたりする等の不正行為が数多く報告されている。
【０２７３】
このため、各種の不正対策が検討されている。不正対策の一例を示すと、基板ボックスを構成する複数のボックス構成体を相互に固定する固定手段として、通常のネジ部材ではなく破断ネジと称される特殊なネジ部材を使用したものが知られている。
【０２７４】
この種のネジ部材は、ボックス構成体にねじ込まれるネジ溝を含む軸部と、その軸部を回転操作する工具が係合される工具係合部を含む頭部と、その工具係合部に所定トルク以上の回転力が加えられることにより頭部と軸部とを分離させる分離部と、を備えている。したがって、ボックス構成体を締結した後に所定トルク以上の回転力を工具係合部に付与することによって頭部が軸部から分離される。これにより軸部に緩める方向への回転力を伝達することができず、ボックス構成体相互の締結状態を維持されるようにし、以ってボックス構成体の不正開封を抑制する対策となっている。なお、このような特殊なネジ部材は、基板ボックスとその設置部品との間での締結など、ボックス構成体相互の締結以外にも適用し得る。
【０２７５】
しかしながら、頭部が分離されるネジ部材を用いたことに伴って、次のような問題の発生が懸念される。すなわち、遊技機製造工程において、ネジ部材をネジ込んだ後に分離した頭部の回収作業が煩雑となって組み立て作業効率が低下するおそれがある。また、分離された頭部を回収しきれなかった場合、その頭部が遊技球等の遊技媒体の通路に残存して円滑な遊技媒体の流通を阻害したり、頭部が電気部品に干渉してショートしたりする等、不具合や故障の要因ともなり得ると考えられる。
【０２７６】
なお、上記特徴Ａ１〜Ａ１５のいずれか１の構成に対して、下記特徴Ｂ１〜Ｂ８、下記特徴Ｃ１〜Ｃ１２及び下記特徴Ｄ１〜Ｄ８のいずれか１にて限定したものを適用してもよい。この場合、各構成を適用したことによるさらなる効果を奏することができる。
【０２７７】
特徴Ｂ１．遊技に関する制御を行う制御基板（主制御基板１０１）と、
内部空間が形成されており、その内部空間に前記制御基板が収容されている基板ボックス（基板ボックス１０２）と、
前記基板ボックスが取り付けられる取付部（主側取付台１０５）と、
を備え、
前記基板ボックスは、前記取付部から離脱不可又は離脱困難な状態でかつ前記取付部に対して回動可能に固定されていることを特徴とする遊技機。
【０２７８】
特徴Ｂ１によれば、取付部から離脱不可又は離脱困難な状態で基板ボックスが取付部に固定されている。これにより、基板ボックスを不正に取り外して制御基板を交換する等の不正行為が行われることを抑制できる。一方、単に基板ボックスを固定しただけでは、基板ボックスの裏側等、目視確認の困難な箇所に対する不正を見落とす可能性がある。この点、本特徴では基板ボックスを回動させることでそのような不正も発見し易い。
【０２７９】
以上の結果、基板ボックスの取り外しによる不正を抑制しつつ、基板ボックスの裏側等の通常では目視困難な箇所の不正発見を容易なものとすることができ、不正に対する耐性を格段に高めることができる。
【０２８０】
特徴Ｂ２．遊技に関する制御を行う制御基板（主制御基板１０１）と、
内部空間が形成されており、その内部空間に前記制御基板が収容されている基板ボックス（基板ボックス１０２）と、
前記基板ボックスが取り付けられる取付部（主側取付台１０５）と、
前記取付部に設けられた第１係合部（差込軸部１０９）と、
前記基板ボックスに設けられ、前記第１係合部に対して回動可能に係合される第２係合部（筒部１１０）と、
前記第１係合部と前記第２係合部との回動を許容しつつ、前記取付部から離脱不可又は離脱困難な状態となるように、前記基板ボックスを前記取付部に固定する固定手段（破断ネジ１８０、筒側結合部２８３、ネジ差込部２８８）と、
を備えていることを特徴とする遊技機。
【０２８１】
特徴Ｂ２によれば、取付部から離脱不可又は離脱困難な状態で基板ボックスが取付部に固定されている。これにより、基板ボックスを不正に取り外して制御基板を交換する等の不正行為が行われることを抑制できる。一方、単に基板ボックスを固定しただけでは、基板ボックスの裏側等、目視確認の困難な箇所に対する不正を見落とす可能性がある。この点、本特徴では第１係合部と第２係合部とが回動可能に係合されていることにより基板ボックスを回動させることができ、そのような不正も発見し易い。
【０２８２】
以上の結果、基板ボックスの取り外しによる不正を抑制しつつ、基板ボックスの裏側等の通常では目視困難な箇所の不正発見を容易なものとすることができ、不正に対する耐性を格段に高めることができる。
【０２８３】
特徴Ｂ３．前記第１係合部及び前記第２係合部のうち、一方は軸部であり、他方は前記軸部が差し込まれる被差込部であり、
前記軸部と前記被差込部とは、相対的に回動可能であることを特徴とする特徴Ｂ２に記載の遊技機。
【０２８４】
特徴Ｂ３によれば、軸部が被差込部に差し込まれる。これにより、取付部に対して基板ボックスを回動可能に取り付ける場合に複雑な作業を要しない。
【０２８５】
特徴Ｂ４．前記固定手段は、
前記軸部に設けられ、当該軸部の周方向に延びる凹部（凹部２８９）と、
前記被差込部を貫通しつつ、その先端が前記軸部の外周側から前記凹部に差し込まれる連結部材（軸部１９３）と、
を備えていることを特徴とする特徴Ｂ３に記載の遊技機。
【０２８６】
特徴Ｂ４によれば、連結部材が凹部に差し込まれた状態にて、当該連結部材により軸部と被差込部とが連結される。凹部が周方向に延びているため、連結部材が凹部内にて移動することができる。この結果、基板ボックスの回動を阻害しないようにしつつ、軸部が被差込部から引き抜かれ基板ボックスが取り外されることを抑制できる。
【０２８７】
特徴Ｂ５．前記軸部は、その差込方向と直交する方向の断面積が、前記連結部材の差込方向と直交する方向における当該連結部材の断面積よりも大きいことを特徴とする特徴Ｂ４に記載の遊技機。
【０２８８】
各係合部が回動可能に係合されているため、各係合部の強度が低いとすると、各係合部を回動させる場合に、各係合部が破損する不都合が発生することが考えられる。この点、本特徴では取付部に対して基板ボックスを回動可能とする部材と、軸部と被差込部との分離を規制する部材とが分けられている。これにより、軸部と被差込部との強度を担保しつつ、軸部と被差込部とを連結することが可能となる。つまり、軸部の強度を担保する上で、連結部材の断面積の設定の自由度が低下することを抑制できる。この結果、基板ボックスを回動可能とする部材の強度を担保しつつ、連結部材として一般的なビス等を使用することが可能となる。
【０２８９】
以上により、基板ボックスが取付部から離脱不可又は離脱困難な状態でかつ回動可能に固定する上で、上記各係合部が破損する不都合の発生を抑制できる。
【０２９０】
特徴Ｂ６．前記連結部材は、ネジ溝が形成されたネジ部材であって、前記被差込部とネジ結合されるものであり、
前記ネジ部材における前記凹部に入り込む位置よりも基端側に前記ネジ溝が形成されていることを特徴とする特徴Ｂ４又はＢ５に記載の遊技機。
【０２９１】
凹部に入り込む位置にネジ溝が形成されていると、凹部に挿し込まれた場合に凹部の内周面とネジ溝とが接触することで、凹部が変形したり、上記回動が阻害されたりする可能性がある。この点、本特徴ではネジ溝と凹部とが接触しにくい。このため、上記回動が阻害されることを抑制できる。
【０２９２】
特徴Ｂ７．前記連結部材は、
前記被差込部とネジ結合されるネジ溝が形成されたネジ溝部（軸部１９３）と、
前記ネジ溝部を回転操作する工具が係合される工具係合部を含む頭部（頭部１９０）と、
前記ネジ溝部と前記頭部とを連結するとともに、前記工具係合部に所定トルク以上の回転力が加えられることにより前記ネジ溝部から前記頭部を分離させる分離部（破断部１９５）と、
を備えているネジ部材であることを特徴とする特徴Ｂ４乃至Ｂ６のいずれか１に記載の遊技機。
【０２９３】
特徴Ｂ７によれば、固定手段におけるネジ溝部にて遊技機本体と基板ボックスとを連結することができる。そして、遊技機本体と基板ボックスとを連結させた後には、工具係合部に所定トルク以上の回転力を加えることにより、ネジ溝部と頭部とを分離させることができる。頭部とネジ溝部とが分離することにより、頭部を介して軸部を回転させることが困難となり、遊技機本体と基板ボックスとの連結が不正に解除されることを抑制できる。
【０２９４】
特徴Ｂ８．前記基板ボックスは、第１ボックス構成体（表側構成体１１１）と第２ボックス構成体（裏側構成体１１２）とを備え、
前記第２係合部は、前記第１ボックス構成体と前記第２ボックス構成体とが組み合わされることにより形成されており、
前記第１係合部は、前記第１係合部における前記第１ボックス構成体と前記第２ボックス構成体との境界部を跨ぐようにして設けられていることを特徴とする特徴Ｂ２乃至Ｂ７のいずれか１に記載の遊技機。
【０２９５】
特徴Ｂ８によれば、第２係合部に各ボックス構成体の境界部が生じており、その境界部に第１係合部が跨っている。これにより、基板ボックスを開放させる不正行為が行われることを抑制することも可能となる。
【０２９６】
特徴Ｃ１．遊技に関する制御を行う制御基板（主制御基板１０１）と、
内部空間が形成されており、その内部空間に前記制御基板が収容されている基板ボックス（基板ボックス１０２）と、
前記基板ボックスが取り付けられる取付部（主側取付台１０５）と、
前記基板ボックスに設けられた第１係合部（筒部１１０）と、
前記取付部に設けられ、前記第１係合部と係合される第２係合部（差込軸部１０９）と、
を備え、
前記基板ボックスは、第１ボックス構成体（表側構成体１１１）と第２ボックス構成体（裏側構成体１１２）とを有し、
前記第１係合部は、各係合部が係合されている状況において前記第１ボックス構成体と前記第２ボックス構成体との組み合わせ状態が解除されることがないように、前記第１ボックス構成体と前記第２ボックス構成体とが組み合わされることによって形成されていることを特徴とする遊技機。
【０２９７】
特徴Ｃ１によれば、基板ボックスの係合部と取付部の係合部とがそれぞれ係合されている。これにより、取付部から基板ボックスを取り外し基板ボックスごと制御基板を取り替えるといった不正行為が行われることを抑制できる。一方、各係合部が係合された状態にて、第１ボックス構成体と第２ボックス構成体とを分離させ、制御基板に不正にアクセスされることが考えられる。この点、本特徴では第１ボックス構成体と第２ボックス構成体とが組み合わされることによって第１係合部が形成されており、各係合部が係合された状態においては、各ボックス構成体の組み合わせが解除されることを抑制できる。
【０２９８】
特徴Ｃ２．前記第１係合部は、前記基板ボックスから張り出すようにして設けられていることを特徴とする特徴Ｃ１に記載の遊技機。
【０２９９】
特徴Ｃ２によれば、基板ボックスから張り出して第１係合部が設けられている。これにより、第１係合部を設けるために基板ボックスの内部空間が小さくなることを抑制できる。つまり、第１係合部を設けるために制御基板の収容スペースが小さくなることを抑制できる。
【０３００】
特徴Ｃ３．前記第１ボックス構成体と前記第２ボックス構成体とは、相対的にスライド移動させることが可能となっており、
各係合部は、そのスライド移動を規制するように係合されていることを特徴とするＣ１又はＣ２に記載の遊技機。
【０３０１】
特徴Ｃ３によれば、各ボックス構成体のスライド移動が各係合部により規制されている。これにより、基板ボックスが取付部に取り付けられた状態にて各ボックス構成体がスライド移動されることを抑制できる。この結果、各ボックス構成体が分離されることを抑制できる。
【０３０２】
特徴Ｃ４．前記第２係合部は、前記第１係合部における前記第１ボックス構成体と前記第２ボックス構成体との境界部を跨ぐようにして設けられていることを特徴とする特徴Ｃ３に記載の遊技機。
【０３０３】
特徴Ｃ４によれば、第１係合部に各ボックス構成体の境界部が生じており、その境界部に第２係合部が跨っている。これにより、基板ボックスを開放させる不正行為を抑制することも可能となる。
【０３０４】
特徴Ｃ５．前記第１係合部における前記第１ボックス構成体と前記第２ボックス構成体との境界部が、前記第２係合部によりスライド移動させる方向に対して隠されていることを特徴とする特徴Ｃ４に記載の遊技機。
【０３０５】
特徴Ｃ５によれば、各ボックス構成体の境界部がスライド移動させる方向に対して第２係合部により隠されている。これにより、第１係合部と第２係合部とが係合している状態では、各ボックス構成体のうち、一のボックス構成体がスライド移動されることを抑制できる。この結果、基板ボックスを開放させる不正行為が行われることを抑制できる。
【０３０６】
特徴Ｃ６．前記第１係合部及び前記第２係合部のうち、一方は軸部（差込軸部１０９）であり、他方は前記軸部が差し込まれる被差込部（筒部１１０）であることを特徴とする特徴Ｃ１乃至Ｃ５のいずれか１に記載の遊技機。
【０３０７】
特徴Ｃ６によれば、被差込部に軸部を差し込むことにより、基板ボックスと取付部とが係合される。これにより、基板ボックスと取付部とを係合させる場合に複雑な作業を要しない。
【０３０８】
特徴Ｃ７．前記軸部及び前記被差込部を連結するよう当該軸部及び被差込部に差し込まれる連結部材（破断ネジ１８０）を備えていることを特徴とする特徴Ｃ６に記載の遊技機。
【０３０９】
特徴Ｃ７によれば、軸部及び被差込部を連結するように連結部材が差し込まれている。これにより、被差込部に軸部が差し込まれた後に、軸部が引き抜かれることを抑制できる。
【０３１０】
特徴Ｃ８．前記軸部は、その差込方向と直交する方向の断面積が、前記連結部材の差込方向と直交する方向における当該連結部材の断面積よりも大きいことを特徴とする特徴Ｃ７に記載の遊技機。
【０３１１】
特徴Ｃ８によれば、取付部と基板ボックスとを係合させる部材と、軸部と被差込部との分離を規制する部材とが分けられている。これにより、軸部と被差込部との強度を担保しつつ、軸部と被差込部とを連結することが可能となる。つまり、軸部の強度を担保する上で、連結部材の断面積の設定の自由度が低下することを抑制できる。この結果、軸部及び被差込部の強度を担保しつつ、連結部材として一般的なビス等を使用することも可能となる。
【０３１２】
特徴Ｃ９．前記軸部と前記被差込部とは、相対的に回動可能に係合されており、
前記連結部材は、前記第１係合部と前記第２係合部との回動を阻害することがないようにしながら前記軸部と前記被差込部とを連結するものであることを特徴とする特徴Ｃ７又はＣ８に記載の遊技機。
【０３１３】
単に基板ボックスを固定しただけでは、基板ボックスの裏側等、目視確認の困難な箇所に対する不正を見落とす可能性がある。この点、本特徴では基板ボックスを回動させることでそのような不正も発見し易い。この結果、基板ボックスの取り外しによる不正を抑制しつつ、基板ボックスの裏側等の通常では目視困難な箇所の不正発見を容易なものとすることができ、不正に対する耐性を格段に高めることができる。
【０３１４】
ここで、各係合部が回動可能に係合されているため、各係合部の強度が低いとすると、各係合部を回動させる場合に各係合部が破損する不都合が発生することが考えられる。これに対して特徴Ｃ８の構成を適用することにより、基板ボックスを回動可能とする部材の強度を担保しつつ、連結部材による連結を好適に行うことが可能となる。
【０３１５】
特徴Ｃ１０．前記連結部材は、
前記被差込部とネジ結合されるネジ溝が形成されたネジ溝部（軸部１９３）と、
前記ネジ溝部を回転操作する工具が係合される工具係合部を含む頭部（頭部１９０）と、
前記ネジ溝部と前記頭部とを連結するとともに、前記工具係合部に所定トルク以上の回転力が加えられることにより前記ネジ溝部から前記頭部を分離させる分離部（破断部１９５）と、
を備えているネジ部材であることを特徴とする特徴Ｃ７乃至Ｃ９のいずれか１に記載の遊技機。
【０３１６】
特徴Ｃ１０によれば、固定手段におけるネジ溝部にて遊技機本体と基板ボックスとを連結することができる。そして、遊技機本体と基板ボックスとを連結させた後には、工具係合部に所定トルク以上の回転力を加えることにより、ネジ溝部と頭部とを分離させることができる。頭部とネジ溝部とが分離することにより、頭部を介して軸部を回転させることが困難となり、遊技機本体と基板ボックスとの連結が不正に解除されることを抑制できる。
【０３１７】
特徴Ｃ１１．前記第１ボックス構成体及び前記第２ボックス構成体のそれぞれは、前記第１係合部を形成する係合形成部（表側筒形成部２３０、裏側筒形成部２３３）を備え、
前記係合形成部は、各ボックス構成体に一体形成されていることを特徴とする特徴Ｃ１乃至Ｃ１０のいずれか１に記載の遊技機。
【０３１８】
特徴Ｃ１１によれば、各ボックス構成体には係合形成部がそれぞれ一体形成されている。一方、ボックス構成体に係合形成部が別体にて設けられている場合、つまり、ボックス構成体に第１係合部が別体にて取り付けられている場合、ボックス構成体と第１係合部とに境界部が生じ、その境界部を巧妙に破壊（切断）し、制御基板を取り替えた後に、その境界部を再び接着する不正行為が考えられる。この点本特徴によれば、係合形成部が各ボックス構成体に一体形成されていることで、ボックス構成体と第１係合部との間に境界部が生じることを抑制できる。この結果、境界部を巧妙に破壊される不正行為が行われることを抑制できる。
【０３１９】
特徴Ｃ１２．前記第１係合部は軸部（差込軸部１０９）であり、前記第２係合部は前記軸部を覆う筒部（筒部１１０）であることを特徴とする特徴Ｃ１乃至Ｃ１１のいずれか１に記載の遊技機。
【０３２０】
特徴Ｃ１２によれば、筒部に軸部が覆われている。第１ボックス構成体と第２ボックス構成体とによって第１係合部を形成するため、第１係合部に各ボックス構成体の境界部が生じていることが考えられる。このため、その境界部から制御基板に不正にアクセスされることが考えられる。この点、第１係合部を軸部とし、その軸部を筒部にて覆うことにより、軸部における各ボックス構成体の境界部を筒部にて外部から遮蔽することが可能となる。これにより、軸部の境界部から制御基板にアクセスされることを抑制できる。
【０３２１】
特徴Ｄ１．遊技に関する制御を行う制御基板（主制御基板１０１）と、
内部空間が形成されており、その内部空間に前記制御基板が収容されている基板ボックス（基板ボックス１０２）と、
前記基板ボックスが取り付けられる取付部（主側取付台１０５）と、
を備えている遊技機において、
前記基板ボックスは、第１ボックス構成体（表側構成体１１１）と第２ボックス構成体（裏側構成体１１２）とを有し、前記第２ボックス構成体の端部から反対側の端部に向けて前記第１ボックス構成体をスライド移動可能となるようにガイドするガイド部（レール１１９、レール差込部１２０）を備え、
前記ガイド部は、前記スライド移動させるスライド方向の両側に設けられており、前記スライド方向と交差する方向への各ボックス構成体の移動を規制するものであり、
前記第２ボックス構成体は、前記スライド方向の奥側に設けられるとともに前記第１ボックス構成体の少なくとも一部を収容する収容部（収容部１２３）を備え、
前記収容部とは前記スライド方向にみて反対側に設けられ、前記第１ボックス構成体と前記第２ボックス構成体との分離を規制するように、各ボックス構成体を固定する固定手段（破断ネジ１８０、ネジ差込部２８８等）を備えていることを特徴とする遊技機。
【０３２２】
基板ボックスが第１ボックス構成体と第２ボックス構成体とによって構成されていることにより、ボックス構成体を浮き上がらせる等、各ボックス構成体の間に隙間を形成し、その隙間から基板ボックス内部にアクセスされる可能性がある。この点、本特徴ではガイド部がスライド方向の両側に設けられており、スライド方向の奥側に収容部が設けられており、さらに、収容部の反対側に固定手段が設けられている。このため、基板ボックスのほぼ全周にて各ボックス構成体の移動を規制することができる。以上の結果、各ボックス構成体が浮き上がらされて、隙間が形成されることを抑制できる。
【０３２３】
ここで、各ボックス構成体が歪まされ、ボックス構成体が若干スライド移動されることが考えられる。この場合、ボックス構成体を若干スライド移動させ各ボックス構成体を分離させようとする不正行為が考えられる。この点、本特徴では収容部が第１ボックス構成体を覆うことにより、各ボックス構成体が歪まされたとしても、収容部が覆っている範囲以上に第１ボックス構成体がスライド移動されない限り、各ボックス構成体が分離されることを抑制できる。つまり、各ボックス構成体が歪まされる不正行為に対する抑制効果を得ることが可能となる。
【０３２４】
また、スライド方向の奥側に収容部が設けられていることにより、第１ボックス構成体をスライド移動させ、その第１ボックス構成体をそのまま収容部に収容することも可能となる。つまり、各ボックス構成体を組み付ける作業と、各ボックス構成体の移動を規制する作業と、を一連の流れとして行うことが可能となる。これにより、各ボックス構成体の浮き上がりを抑制する上で、基板ボックスの組み付け作業が複雑化することを抑制できる。また、ガイド部及び収容部により各ボックス構成体の移動を規制することにより、各ボックス構成体の移動を規制する上でネジ等の使用数を少なくすることも可能となる。
【０３２５】
特徴Ｄ２．前記固定手段は、さらに、前記取付部から離脱不可又は離脱困難な状態で各ボックス構成体を固定することを特徴とする特徴Ｄ１に記載の遊技機。
【０３２６】
特徴Ｄ２によれば、基板ボックスの取付部からの分離と、各ボックス構成体の分離と、が固定手段により規制されている。これにより、基板ボックスの組立作業及び基板ボックスの取付部への取付作業を、固定手段の設置により行うことが可能となる。この結果、遊技機を組み立てる場合の作業性を向上させる効果や遊技機の部品点数を削減する効果が期待される。
【０３２７】
特徴Ｄ３．前記収容部は、前記基板ボックスの端部に沿って形成されており、
前記固定手段は、前記基板ボックスの前記収容部が設けられている端部の反対側の端部に設けられていることを特徴とする特徴Ｄ１又はＤ２に記載の遊技機。
【０３２８】
特徴Ｄ３によれば、各ボックス構成体の端部に固定手段が設けられており、固定手段が設けられた端部の反対側の端部に収容部が設けられている。これにより、スライド方向の手前側と奥側との両端部にて各ボックス構成体の浮き上がりを抑制できる。基板ボックスの内部にアクセスする場合、基板ボックスの端部からアクセスされる可能性がある。この点、本特徴では基板ボックスの端部にてボックス構成体の浮き上がりを規制することにより、基板ボックスの端部から基板ボックス内部にアクセスされる不正行為を抑制できる。
【０３２９】
特徴Ｄ４．前記収容部は、前記スライド方向の奥側で、前記第１ボックス構成体と当接するように対向した対向部（閉鎖壁部１３０）を備えていることを特徴とする特徴Ｄ１乃至Ｄ３のいずれか１に記載の遊技機。
【０３３０】
特徴Ｄ４によれば、第１ボックス構成体は、スライド方向奥側にて対向部と対向するように当該対向部に当接している。第１ボックス構成体と対向部とが当接した場合、その当接した箇所では各ボックス構成体を移動させにくくなる効果が期待される。
【０３３１】
基板ボックスを組み立てる場合、対向部に当接するまで第１ボックス構成体をスライド移動させればよく、各ボックス構成体の移動を規制しつつ、基板ボックスの組み立て作業を簡易化できる。
【０３３２】
特徴Ｄ５．前記収容部は、
前記スライド方向に沿った前記第１ボックス構成の両側部を外側から覆うように立ち上がる一対の立ち上がり部（側壁部１２５）と、
各立ち上がり部を連結し、前記第２ボックス構成体とで前記第１ボックス構成体を挟む位置に配置された連結部（覆壁部１２７）と、
を備え、
さらに、前記対向部は、前記立ち上がり部及び連結部に対して一体形成されていることを特徴とする特徴Ｄ４に記載の遊技機。
【０３３３】
特徴Ｄ５によれば、立ち上がり部及び連結部によって第１ボックス構成体の外周が覆われている。この結果、収容部に第１ボックス構成体が収容された状態にて、第１ボックス構成体が当該第１ボックス構成体の周方向に移動することを抑制できる。さらに、立ち上がり部及び連結部に対向部が一体形成されている。これにより、立ち上がり部及び連結部が歪まされることを抑制できる。この結果、各ボックス構成体が浮き上がらされて隙間が形成されることを抑制する効果を高めることができる。
【０３３４】
また、立ち上がり部、連結部及び対向部を収容部が備えていることにより、収容部が第１ボックス構成体を覆っているスペースを増やすことが可能となる。これにより、収容部の外側から内側にアクセスされることを抑制できる。
【０３３５】
例えば、収容部が、第１ボックス構成体に当接した状態にて当該第１ボックス構成体を覆う構成が考えられる。このような構成では、収容部と第１ボックス構成体との間の隙間から基板ボックス内部にアクセスされることを抑制する効果を高めることが可能となる。この場合、収容部により第１ボックス構成体が移動することを規制する効果も高めることができる。
【０３３６】
特徴Ｄ６．前記第１ボックス構成体は、前記第２ボックス構成体と対向する側が開口した箱状をなしていることを特徴とする特徴Ｄ１乃至Ｄ５のいずれか１に記載の遊技機。
【０３３７】
特徴Ｄ６によれば、第１ボックス構成体が開口を有した箱状をなしており、第２ボックス構成体によりその開口が塞がれて基板ボックスが形成される。収容部が箱状の第１ボックス構成体を収容することにより、箱状の第１ボックス構成体が当該第１ボックス構成体の厚み方向に移動することを規制できる。この結果、第１ボックス構成体が浮き上がって、各ボックス構成体の間に隙間が形成されることを抑制できる。
【０３３８】
特徴Ｄ７．前記第１ボックス構成体は、前記スライド方向の奥側に段差部（表側周縁部１１３及び前後対向壁部１３６により形成される段差）が形成されており、
前記段差部が前記収容部に覆われていることを特徴とする特徴Ｄ１乃至Ｄ６のいずれか１に記載の遊技機。
【０３３９】
収容部と第１ボックス構成体との境界部から基板ボックス内に不正具を侵入させようとする不正行為が考えられる。この点、本特徴ではその境界部から不正具が侵入された場合、第１ボックス構成体の段差部にその不正具が到達する。不正具が段差部に到達した場合、その段差部が不正具の侵入を抑制する返し部として機能することが期待される。これにより、それ以上内部に不正具が侵入されにくくことができる。この結果、上記境界部から基板ボックス内部にアクセスされることを抑制できる。
【０３４０】
特徴Ｄ８．前記収容部は、前記段差部を覆っている状態にて、前記第１ボックス構成体の外周と当該収容部の外周との境界部が面一となるように形成されていることを特徴とする特徴Ｄ７に記載の遊技機。
【０３４１】
特徴Ｄ８によれば、第１ボックス構成体の外周と、収容部の外周と、の境界部にて段差が生じない。これにより、第１ボックス構成体における収容部に覆われる部位と、覆われない部位との境界部にて収容部が変形されにくくなる効果が期待される。つまり、収容部を変形させようとして収容部に外力を加えたとしても、その外力が収容部を変形させる方向に伝わりにくくすることができる。
【０３４２】
上記特徴Ｂ群、Ｃ群及びＤ群の各発明は、以下の課題に対して効果的である。
【０３４３】
遊技機としては、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０３４４】
この種の遊技機においては、不正な利益を得ることを目的として、例えば、制御基板を不正に取り外して当該基板内のＲＯＭ（ＣＰＵやＲＯＭが１チップ化されている場合は当該チップ）を交換して遊技内容を変更したり、リード線等により外部から不正な電気信号を制御基板に入力させたりする等の不正行為が数多く報告されている。
【０３４５】
このため、各種の不正対策が検討されている。不正対策の一例を示すと、基板ボックスを構成する複数のボックス構成体を透明に構成して制御基板の状態を外部から容易に視認できるようにする、基板ボックスに封印構造を持たせて基板ボックスの開封時には破壊等による開封履歴を残すようにする、又は、ボックス構成体の接合部に再貼付不可能な封印シールを貼付する等の不正対策が採用されている。
【０３４６】
しかしながら、上記のような不正対策が施されていても、未だに不正行為が行われているのが実状であり、前記封印構造や封印シール等を採用した制御基板装置であっても、不正の形跡が残らないようにして巧妙に基板ボックスを開封し、内部の制御基板に対して不正を施すといったことが行われている。したがって、基板ボックスに対する不正行為を抑制する上で未だ改善の余地がある。
【０３４７】
なお、上記特徴Ｂ１〜Ｂ８のいずれか１の構成に対して、上記特徴Ａ１〜Ａ１５、上記特徴Ｃ１〜Ｃ１２及び上記特徴Ｄ１〜Ｄ８のいずれか１にて限定したものを適用してもよい。上記特徴Ｃ１〜Ｃ１２のいずれか１の構成に対して、上記特徴Ａ１〜Ａ１５、上記特徴Ｂ１〜Ｂ８及び上記特徴Ｄ１〜Ｄ８のいずれか１にて限定したものを適用してもよい。上記特徴Ｄ１〜Ｄ８のいずれか１の構成に対して、上記特徴Ａ１〜Ａ１５、上記特徴Ｂ１〜Ｂ８及び上記特徴Ｃ１〜Ｃ１２のいずれか１にて限定したものを適用してもよい。この場合、各構成を適用したことによるさらなる効果を奏することができる。
【０３４８】
以下に、以上の各特徴を適用し得る各種遊技機の基本構成を示す。
【０３４９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３５０】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【０３５１】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０３５２】
１０…パチンコ機、６１…主制御装置ユニット、１０１…主制御基板、１０２…基板ボックス、１０５…主側取付台、１０７…ベース部、１０７ａ，１０７ｂ…上，下張出部、１０７ｃ，１０７ｄ…上，下側支軸、１０９…筒部、１１０…差込軸部、１１３…表側周縁部、１１７…裏側周縁部、１１９…レール、１２０…レール差込部、１２３…収容部、１２５…側壁部、１２７…覆壁部、１３０…閉鎖壁部、１３３…対向部、１３４…対向側延出壁部、１３５…対向側閉鎖壁部、１３６…前後対向壁部、１５０…第１固定部、１５５…第２固定部、１６０…固定板部、１６３…収容側貫通孔、１７３…表側結合部、１７４…裏側結合部、１７５…表側貫通孔、１７７…裏側連通孔、１８０…破断ネジ、１９０…頭部、１９３…軸部、１９５…破断部、１９８ａ，１９８ｂ…頭部側絞部，軸部側絞部、２００…先端部、２０２…差込側突出部、２０４…下流側突出部、２０６…通し部、２０８…通し孔、２１１…連続突出部、２３０…表側筒形成部、２３３…裏側筒形成部、２３５…表側円形溝部、２３８…天井側溝部、２４０…裏側円形溝部、２８３…筒側結合部、２８８…ネジ差込部、２８９…凹部、２９１…起立面、２９２…天井面、２９３…底面、２９６…回動始点面、２９７…回動終点面。
【図１】
2010279566.tif 000003
【図２】
2010279566.tif 000004
【図３】
2010279566.tif 000005
【図４】
2010279566.tif 000006
【図５】
2010279566.tif 000007
【図６】
2010279566.tif 000008
【図７】
2010279566.tif 000009
【図８】
2010279566.tif 000010
【図９】
2010279566.tif 000011
【図１０】
2010279566.tif 000012
【図１１】
2010279566.tif 000013
【図１２】
2010279566.tif 000014
【図１３】
2010279566.tif 000015
【図１４】
2010279566.tif 000016
【図１５】
2010279566.tif 000017
【図１６】
2010279566.tif 000018
【図１７】
2010279566.tif 000019
【図１８】
2010279566.tif 000020
【図１９】
2010279566.tif 000021
【図２０】
2010279566.tif 000022